(57)【要約】再生システム（１）は、放送回線を介してコンテンツを受信する受信手段（１０１、１０２）と、通信回線（３００）を介して制御情報を送信する送信手段（１０３）と、通信回線を介してコンテンツを受信する受信手段（１０３）と、コンテンツを再生する再生手段（１０６）と、放送回線より受信されるコンテンツの再生と、通信回線より受信されるコンテンツの再生とを切り替える制御手段（１１４）と備える移動型再生装置（１００）と、通信回線を介して制御情報を受信する受信手段（２０３）と、放送回線を介してコンテンツデータを受信する受信手段（２０１、２０２）と、制御情報に基づいてコンテンツデータを記録する記録手段（２０７）と、通信回線を介してコンテンツデータを送信する送信手段（２０３）とを備える記録装置（２００）とを備える。
2007111299.tif 000002
【特許請求の範囲】
【請求項１】
放送局より放送回線を介して放送される複数のチャンネルのコンテンツデータを受信すると共に再生する移動型再生装置と、前記放送局より前記放送回線を介して放送される前記複数のチャンネルのコンテンツデータを受信すると共に記録する記録装置を備える再生システムであって、
前記移動型再生装置は、
前記放送回線を介して放送される前記複数のチャンネルのコンテンツデータのうち所望のチャンネルのコンテンツデータを受信する第１受信手段と、
前記記録装置が前記所望のチャンネルのコンテンツデータを前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段と
を備え、
前記記録装置は、
前記移動型再生装置から前記通信回線を介して送信される前記制御情報を受信する第３受信手段と、
前記放送回線を介して放送される前記複数のチャンネルのコンテンツデータを受信する第４受信手段と、
前記制御情報に基づいて、前記第４受信手段により受信される複数のチャンネルのコンテンツデータのうち前記所望のチャンネルのコンテンツデータを記録する記録手段と、
前記記録手段により記録される前記所望のチャンネルのコンテンツデータを、前記通信回線を介して前記移動型再生装置に送信する第２送信手段と
を備えることを特徴とする再生システム。
【請求項２】
前記制御手段は、前記第２受信手段により前記所望のチャンネルのコンテンツデータが受信されている場合、前記第２再生動作へ切り替えるように前記再生手段を制御することを特徴とする請求の範囲第１項に記載の再生システム。
【請求項３】
前記制御手段は、前記第２受信手段により受信される前記所望のチャンネルのコンテンツデータを前記再生手段が再生可能な状況になった後に、前記第２再生動作へ切り替えるように前記再生手段を制御することを特徴とする請求の範囲第１項に記載の再生システム。
【請求項４】
前記移動型再生装置は、前記記録装置から前記通信回線を介して送信される前記所望のチャンネルのコンテンツデータを一時的に蓄積するバッファリング手段を更に備え、
前記制御手段は、前記第２受信手段により受信される前記所望のチャンネルのコンテンツデータが、所定サイズ以上前記バッファリング手段に蓄積された後に、前記第２再生動作へ切り替えるように前記再生手段を制御することを特徴とする請求の範囲第１項に記載の再生システム。
【請求項５】
前記複数のチャンネルのコンテンツデータの少なくとも一つは、前記コンテンツデータの再生時間軸に沿って離散的に又は周期的に分布するコマーシャルデータを含んでおり、
前記制御手段は、前記第１再生動作により前記コマーシャルデータが再生されている間に、前記第２再生動作へ切り替え且つ前記コマーシャルデータから再生が開始されるように前記再生手段を制御することを特徴とする請求の範囲第１項に記載の再生システム。
【請求項６】
前記記録装置は、前記記録手段による前記所望のチャンネルのコンテンツデータの記録が開始されてからの経過時間を算出する第１算出手段を更に備え、
前記第２送信手段は、前記第１算出手段により算出される経過時間が所定の第１閾値を超えた後に、前記記録手段により記録される前記所望のチャンネルのコンテンツデータの送信を開始することを特徴とする請求の範囲第１項に記載の再生システム。
【請求項７】
前記移動型再生装置は、
前記移動型再生装置の現在位置を検出する検出手段と、
前記検出手段により検出される前記現在位置及び地図情報に基づいて、前記移動型再生装置が将来移動する可能性のある複数の候補位置を予測する予測手段と、
前記複数の候補位置の夫々において、前記放送回線を介して放送される前記所望のチャンネルのコンテンツデータを前記第１受信手段が受信することができるか否かを判定する判定手段と
を更に備え、
前記第２送信手段は、前記判定手段により、前記放送回線を介して放送される前記所望のチャンネルのコンテンツデータを前記第１受信手段が受信することができないと判定された場合に、前記記録手段により記録される前記所望のチャンネルのコンテンツデータの送信を開始することを特徴とする請求の範囲第１項に記載の再生システム。
【請求項８】
前記複数のチャンネルのコンテンツデータの少なくとも一つは、前記コンテンツデータの再生時間軸に沿って離散的に又は周期的に分布するコマーシャルデータを含んでおり、
前記第２送信手段は、前記コマーシャルデータが前記記録手段により記録された後に、前記記録手段により記録される前記コマーシャルデータを始点として、前記記録手段により記録される前記所望のチャンネルのコンテンツデータの送信を開始することを特徴とする請求の範囲第１項に記載の再生システム。
【請求項９】
前記第２送信手段は、前記第１再生動作により前記コマーシャルデータが再生されている間に、前記記録手段により記録される前記コマーシャルデータを始点として、前記記録手段により記録される前記所望のチャンネルのコンテンツデータの送信を開始し、
前記制御手段は、前記第１再生動作により前記コマーシャルデータが再生されている間に、前記第２再生動作へ切り替え且つ前記コマーシャルデータから再生が開始されるように前記再生手段を制御することを特徴とする請求の範囲第８項に記載の再生システム。
【請求項１０】
前記移動型再生装置は、前記複数のチャンネルのコンテンツデータに対するチャンネル選択が行われてからの経過時間を算出する第２算出手段を更に備え、
前記第１送信手段は、前記第２算出手段により算出される経過時間が所定の第２閾値を超えた後に、前記制御情報を送信することを特徴とする請求の範囲第１項に記載の再生システム。
【請求項１１】
前記移動型再生装置は、
前記移動型再生装置の現在位置を検出する検出手段と、
前記検出手段により検出される前記現在位置及び地図情報に基づいて、前記移動型再生装置が将来移動する可能性のある複数の候補位置を予測する予測手段と、
前記複数の候補位置の夫々において、前記放送回線を介して放送される前記所望のチャンネルのコンテンツデータを前記第１受信手段が受信することができるか否かを判定する判定手段と
を更に備え、
前記第１送信手段は、前記判定手段により、前記放送回線を介して放送される前記所望のチャンネルのコンテンツデータを前記第１受信手段が受信することができないと判定された場合に、前記制御情報を、前記通信回線を介して前記記録装置に送信することを特徴とする請求の範囲第１項に記載の再生システム。
【請求項１２】
前記移動型再生装置は、前記記録装置から前記通信回線を介して送信される前記所望のチャンネルのコンテンツデータを一時的に蓄積するバッファリング手段を更に備えることを特徴とする請求の範囲第１項に記載の再生システム。
【請求項１３】
放送局より放送回線を介して放送される複数のチャンネルのコンテンツデータを受信すると共に再生する移動型再生装置と、前記放送局より前記放送回線を介して放送される前記複数のチャンネルのコンテンツデータを格納する記録装置を備える再生システムであって、
前記移動型再生装置は、
前記放送回線を介して放送される前記複数のチャンネルのコンテンツデータのうち所望のチャンネルのコンテンツデータを受信する第１受信手段と、
前記記録装置が前記所望のチャンネルのコンテンツデータを前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段と
を備え、
前記記録装置は、
前記移動型再生装置から前記通信回線を介して送信される前記制御情報を受信する第３受信手段と、
前記放送回線を介して放送される前記複数のチャンネルのコンテンツデータを格納する格納手段と、
前記制御情報に基づいて、前記格納手段により格納される前記所望のチャンネルのコンテンツデータを、前記通信回線を介して前記移動型再生装置に送信する第２送信手段と
を備えることを特徴とする再生システム。
【請求項１４】
放送局より放送回線を介して放送される複数のチャンネルのコンテンツデータを受信すると共に格納する移動型再生装置と、前記放送局より前記放送回線を介して放送される前記複数のチャンネルのコンテンツデータを受信すると共に記録する記録装置を備える再生システムにおける再生方法であって、
前記放送回線を介して放送される前記複数のチャンネルのコンテンツデータを前記移動型再生装置において受信する第１受信工程と、
前記記録装置が前記所望のチャンネルのコンテンツデータを前記移動型再生装置に送信するために必要な制御情報を、通信回線を介して前記記録装置に送信する第１送信工程と、
前記記録装置から前記通信回線を介して送信される前記所望のチャンネルのコンテンツデータを受信する第２受信工程と、
前記第１受信工程及び前記第２受信工程の少なくとも一方において受信される前記所望のチャンネルのコンテンツデータを再生する再生工程と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替える制御工程と、
前記移動型再生装置から前記通信回線を介して送信される前記制御情報を受信する第３受信工程と、
前記放送回線を介して放送される前記複数のチャンネルのコンテンツデータを前記記録装置において受信する第４受信工程と、
前記制御情報に基づいて、前記第３受信工程において受信される複数のチャンネルのコンテンツデータのうち前記所望のチャンネルのコンテンツデータを記録する記録工程と、
前記記録工程において記録される前記所望のチャンネルのコンテンツデータを、前記通信回線を介して前記移動型再生装置に送信する第２送信工程と
を備えることを特徴とする再生方法。
【請求項１５】
放送局より放送回線を介して放送される複数のチャンネルのコンテンツデータを受信すると共に再生する移動型再生装置と、前記放送局より前記放送回線を介して放送される前記複数のチャンネルのコンテンツデータを格納する記録装置を備える再生システムにおける再生方法であって、
前記放送回線を介して放送される前記複数のチャンネルのコンテンツデータのうち所望のチャンネルのコンテンツデータを受信する第１受信工程と、
前記記録装置が前記所望のチャンネルのコンテンツデータを前記移動型再生装置に送信するために必要な制御情報を、通信回線を介して前記記録装置に送信する第１送信工程と、
前記記録装置から前記通信回線を介して送信される前記所望のチャンネルのコンテンツデータを受信する第２受信工程と、
前記第１受信工程及び前記第２受信工程の少なくとも一方において受信される前記所望のチャンネルのコンテンツデータを再生する再生工程と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替える制御工程と、
前記移動型再生装置から前記通信回線を介して送信される前記制御情報を受信する第３受信工程と、
前記記録装置に格納される前記所望のチャンネルのコンテンツデータを、前記通信回線を介して前記移動型再生装置に送信する第２送信工程と
を備えることを特徴とする再生方法。
【請求項１６】
放送局より放送回線を介して放送される複数のチャンネルのコンテンツデータを受信する移動型再生装置であって、
前記放送回線を介して放送される前記複数のチャンネルのコンテンツデータのうち所望のチャンネルのコンテンツデータを受信する第１受信手段と、
記録装置が前記複数のチャンネルのコンテンツデータのうち所望のチャンネルのコンテンツデータを前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段と
を備えることを特徴とする移動型再生装置。
【請求項１７】
放送局より放送回線を介して放送される複数のチャンネルのコンテンツデータを受信すると共に記録する記録装置であって、
移動型再生装置から前記通信回線を介して送信され且つ、当該記録装置が前記複数のチャンネルのコンテンツデータのうち所望のチャンネルのコンテンツデータを前記移動型再生装置に送信するために必要な制御情報を受信する第３受信手段と、
前記放送回線を介して放送される前記複数のチャンネルのコンテンツデータを受信する第４受信手段と、
前記制御情報に基づいて、前記第４受信手段により受信される複数のチャンネルのコンテンツデータのうち前記所望のチャンネルのコンテンツデータを記録する記録手段と、
前記記録手段により記録される前記所望のチャンネルのコンテンツデータを、前記通信回線を介して前記移動型再生装置に送信する第２送信手段と
を備えることを特徴とする記録装置。
【請求項１８】
放送局より放送回線を介して放送される複数のチャンネルのコンテンツデータを格納する記録装置であって、
移動型再生装置から前記通信回線を介して送信され且つ、当該記録装置が前記複数のチャンネルのコンテンツデータのうち所望のチャンネルのコンテンツデータを前記移動型再生装置に送信するために必要な制御情報を受信する第３受信手段と、
前記放送回線を介して放送される前記複数のチャンネルのコンテンツデータを格納する格納手段と、
前記格納手段により格納される前記所望のチャンネルのコンテンツデータを、前記通信回線を介して前記移動型再生装置に送信する第２送信手段と
を備えることを特徴とする記録装置。
【請求項１９】
放送局より放送回線を介して放送される複数のチャンネルのコンテンツデータを受信する移動型再生装置であって、前記放送回線を介して放送される前記複数のチャンネルのコンテンツデータのうち所望のチャンネルのコンテンツデータを受信する第１受信手段と、前記記録装置が前記所望のチャンネルのコンテンツデータを前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、前記第１受信手段及び前記第２受信手段の少なくとも一方により受信される前記所望のチャンネルのコンテンツデータを再生する再生手段と、(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段とを備える移動型再生装置に備えられたコンピュータを制御するコンピュータプログラムであって、
前記コンピュータを、前記第１受信手段、前記第１送信手段、前記第２受信手段、前記再生手段及び前記制御手段のうち少なくとも一部として機能させることを特徴とするコンピュータプログラム。
【請求項２０】
放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを前記移動型再生装置に送信するために必要な制御情報を受信する第３受信手段と、前記放送回線を介して放送される前記複数のチャンネルのコンテンツデータを受信する第４受信手段と、前記制御情報に基づいて、前記第４受信手段により受信される複数のチャンネルのコンテンツデータのうち前記所望のチャンネルのコンテンツデータを記録する記録手段と、前記記録手段により記録される前記所望のチャンネルのコンテンツデータを、前記通信回線を介して前記移動型再生装置に送信する第２送信手段とを備える記録装置に備えられたコンピュータを制御するコンピュータプログラムであって、
前記コンピュータを、前記第３受信手段、前記第４受信手段、前記記録手段及び前記第２送信手段のうち少なくとも一部として機能させることを特徴とするコンピュータプログラム。
【請求項２１】
放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを前記移動型再生装置に送信するために必要な制御情報を受信する第３受信手段と、前記放送回線を介して放送される前記複数のチャンネルのコンテンツデータを格納する格納手段と、前記格納手段により格納される前記所望のチャンネルのコンテンツデータを、前記通信回線を介して前記移動型再生装置に送信する第２送信手段とを備える記録装置に備えられたコンピュータを制御するコンピュータプログラムであって、
前記コンピュータを、前記第３受信手段、前記格納手段及び前記第２送信手段のうち少なくとも一部として機能させることを特徴とするコンピュータプログラム。
【発明の詳細な説明】
【技術分野】
【０００１】
本発明は、主に移動無線網を介して接続された移動型再生装置と記録装置との間で通信を行い、記録装置から移動型再生装置へ情報を転送し、移動型再生装置においてこの情報を再生することができる再生システム及び再生方法、当該再生システムに用いられる移動型再生装置及び記録装置、並びにこれらを実現するためのコンピュータプログラムに関する。
【背景技術】
【０００２】
現在、ナビゲーション装置、特に車両用ナビゲーション装置が大きく普及しており、その開発が日々進められている。ナビゲーション装置は、ＣＤ−ＲＯＭ、ＤＶＤ−ＲＯＭ或いはＨＤＤ（ハードディスク）に格納されている地図データを用いて、例えば自車等のナビゲーションの対象物の現在位置を、ディスプレイ等の表示装置に表示し、経路誘導等の各種機能を提供する。対象物の現在位置を把握する方法として、主に、ナビゲーションの対象物に設けられた速度や方位等の各種のパラメータを測定するセンサからの情報のみを用いて対象物の現在位置を測位する自立航法と、複数の人工衛星から送信される測位データを受信して現在位置を測位するＧＰＳ（Global Positioning System）を用いた航法援助システムによる航法との２つのうち、いずれか又は両方を組み合わせて用いるのが一般的である。【０００３】
このようなナビゲーション装置では、放送電波を受信することで、テレビ番組を視聴することができるものが多い。また、ナビゲーション装置に限らず、携帯電話、ＰＤＡ（Personal Digital Assistance）、モバイルパソコンなどの移動端末においても、テレビ番組を視聴することができるものの普及が進んでいる。【０００４】
しかしながら、例えばナビゲーション装置であれば、該ナビゲーション装置を搭載する移動体（例えば、車両や人等）が走行或いは動いている間は、安全の確保のために、テレビ番組を視聴することができないように設計されていることが多い。このようにテレビ番組を視聴することができない不都合を回避するべく、特許文献１では、ナビゲーション装置にテレビ番組を録画するための機能を搭載する技術が開示されている。これにより、移動体が走行或いは動いている間に放送されるテレビ番組を録画しておき、移動体が走行していない或いは動いていないときに、録画されたテレビ番組を視聴することができる。【０００５】
他方、携帯電話、ＰＤＡ（Personal Digital Assistance）、ナビゲーション装置、モバイルパソコンなどの移動端末においては、移動体と共に移動する端末であることから、放送電波の受信状況が刻一刻と変わる。このため、例えば自宅においてテレビ番組を視聴する場合と比較して、その映像品質や音声品質が劣化することは否めない。特に、移動体がトンネル等に入ってしまった場合には、放送電波が遮断され、テレビ番組の視聴が不可能になってしまう。このようなテレビ番組を視聴することができない不都合を回避するべく、特許文献２には、遠隔地（例えば、自宅等）に設置してあるレコーダに、ナビゲーション装置からテレビ番組を録画する旨の指示を送ることで、該レコーダを用いてテレビ番組を録画することができる放送番組収録システムが開示されている。これにより、放送電波を受信することができないために視聴できなかったテレビ番組を、後から自宅で視聴することができる。【０００６】
【特許文献１】特許第２９１４６９４号公報
【特許文献２】特開第２００２−３００５０２号公報
【発明の開示】
【発明が解決しようとする課題】
【０００７】
しかしながら、いずれの技術も、例えば運転手以外の同乗者が、連続してテレビ番組を視聴することができないという技術的な問題点を有している。例えば、ナビゲーション装置にテレビ番組を録画するための機能を搭載しても、放送電波を受信することができないトンネル等に入ってしまった場合は、該トンネルを通過する間に放送されているテレビ番組を視聴することができない。例えば、一連のストーリーが重要視されるドラマが放送されている場合であれば、話の流れが不明確になってしまったり、或いは、ニュース番組が放送されている場合であれば、聞きたいニュースを見逃してしまいかねない。【０００８】
また、自宅に設置してあるレコーダにテレビ番組を録画させたとしても、自宅に戻った後でなければテレビ番組を視聴することができない。つまり、自宅に戻る前であれば、上述したように、例えばトンネルを通過する間に放送されているテレビ番組を視聴することができない。【０００９】
本発明は、例えば上述した従来の問題点に鑑みなされたものであり、例えば移動端末を用いてテレビ番組等のコンテンツデータを視聴する場合であっても、コンテンツデータを極力見逃すことのない良好な視聴環境を実現する再生システム及び再生方法、このような再生システムに用いられる移動型再生装置及び記録装置、並びにコンピュータをこのような再生システム、移動型再生装置又は記録装置として機能させるためのコンピュータプログラムを提供することを課題とする。
【課題を解決するための手段】
【００１０】
（再生システム）
上記課題を解決するために、本発明の第１再生システムは、放送局より放送回線を介して放送される複数のチャンネルのコンテンツデータを受信すると共に再生する移動型再生装置と、前記放送局より前記放送回線を介して放送される前記複数のチャンネルのコンテンツデータを受信すると共に記録する記録装置を備える再生システムであって、前記移動型再生装置は、前記放送回線を介して放送される前記複数のチャンネルのコンテンツデータのうち所望のチャンネルのコンテンツデータを受信する第１受信手段と、前記記録装置が前記所望のチャンネルのコンテンツデータを前記移動型再生装置に送信するために必要な制御情報を、通信回線を介して前記記録装置に送信する第１送信手段と、前記記録装置から前記通信回線を介して送信される前記所望のチャンネルのコンテンツデータを受信する第２受信手段と、前記第１受信手段及び前記第２受信手段の少なくとも一方により受信される前記所望のチャンネルのコンテンツデータを再生する再生手段と、(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段とを備え、前記記録装置は、前記移動型再生装置から前記通信回線を介して送信される前記制御情報を受信する第３受信手段と、前記放送回線を介して放送される前記複数のチャンネルのコンテンツデータを受信する第４受信手段と、前記制御情報に基づいて、前記第４受信手段により受信される複数のチャンネルのコンテンツデータのうち前記所望のチャンネルのコンテンツデータを記録する記録手段と、前記記録手段により記録される前記所望のチャンネルのコンテンツデータを、前記通信回線を介して前記移動型再生装置に送信する第２送信手段とを備える。【００１１】
本発明の第１生システムによれば、移動型再生装置は、第１受信手段と、再生手段とを備えている。第１受信手段の動作により、移動型再生装置は、放送回線を介して放送局から放送される複数のチャンネルのコンテンツデータのうち所望のチャンネルのコンテンツデータを受信することができる。そして、再生手段の動作により、移動型再生装置は、第１受信手段の動作により受信される所望のチャンネルのコンテンツデータを、例えば映像や音声として再生することができる。【００１２】
他方で、移動型再生装置は、第１送信手段と、第２受信手段と、制御手段とを備えている。更に、記録装置は、第３受信手段と、第４受信手段と、記録手段と、第２送信手段とを備えている。第１送信手段の動作により、移動型再生装置は、制御情報を、放送回線とは異なる通信回線を介して、記録装置に送信することができる。制御情報は、記録装置が所望のチャンネルのコンテンツデータを移動型再生装置に送信する（或いは、記録装置が所望のチャンネルのコンテンツデータを記録する）ために必要な情報である。制御情報は、例えば、所望のチャンネルを示すチャンネル情報や、所望のチャンネルのコンテンツデータの記録に関する指示（例えば、記録開始や記録停止の指示や、そのタイミング等）を示す記録指示情報や、記録装置から移動型再生装置への所望のチャンネルのコンテンツデータの送信に関する指示（送信開始や送信停止の指示や、そのタイミング等）を示す送信指示情報等を含んでいる。【００１３】
記録装置は、第３受信手段の動作により、移動型再生装置が備える第１送信手段の動作により送信される制御情報を受信することができる。その後、記録手段の動作により、記録装置は、受信された制御情報に基づいて、所望のチャンネルのコンテンツデータを、例えば情報記録媒体等に記録することができる。記録手段の動作により記録される所望のチャンネルのコンテンツデータは、第４受信手段の動作により、放送回線を介して受信されるコンテンツデータである。第４受信手段の動作により受信される所望のチャンネルのコンテンツデータ（つまり、記録手段の動作により記録される所望のチャンネルのコンテンツデータは、移動型再生装置が備える第１受信手段が受信している所望のチャンネルのコンテンツデータと同一である。記録手段により記録された所望のチャンネルのコンテンツデータは、第２送信手段の動作により、通信回線を介して、移動型再生装置に送信される。【００１４】
移動型再生装置は、第２受信手段の動作により、記録装置が備える第２送信手段の動作により送信される所望のチャンネルのコンテンツデータを受信することができる。これにより、移動型再生装置は、第２受信手段の動作により受信される所望のチャンネルのコンテンツデータを、例えば映像や音声として再生することができる。【００１５】
ここで、移動型再生装置は、制御手段の動作により、第１受信手段の動作により受信される（つまり、放送回線を介して放送局から直接的に受信される）所望のチャンネルのコンテンツデータを再生する第１再生動作を実行するか、第２受信手段の動作により受信される（つまり、通信回線を介して放送局から間接的に受信される）所望のチャンネルのコンテンツデータを再生する第２再生動作を実行するかを、適宜切り替えることができる。つまり、第１受信手段の動作により受信される所望のチャンネルのコンテンツデータが再生されている場合は、第２受信手段の動作により受信される所望のチャンネルのコンテンツデータは再生されない。他方、第２受信手段の動作により受信される所望のチャンネルのコンテンツデータが再生されている場合は、第１受信手段の動作により受信される所望のチャンネルのコンテンツデータは再生されない。【００１６】
例えば、放送回線の回線状況が悪化する場合（例えば、放送電波を受信することができない場合等であって、具体的には、例えば移動型再生装置を搭載する移動体がトンネルに入った場合等）には、第２再生動作が実行される。このため、放送回線の回線状況が悪化する場合であっても、放送回線とは異なる通信回線を介して所望のチャンネルのコンテンツデータを受信することができる。これにより、放送回線の回線状況が悪化する場合であっても、ユーザは、移動型再生装置を用いて、所望のチャンネルのコンテンツデータを視聴することができる。【００１７】
また、所望のチャンネルのコンテンツデータは、記録装置に記録されている。このため、通信回線の回線状況が悪化することで、所望のチャンネルのコンテンツデータの記録装置から移動型再生装置への送信が途切れる状況が発生しても、通信回線の回線状況が良好になった後に、記録装置に記録されている所望のチャンネルのコンテンツデータを改めて送信することができる。従って、ユーザは、所望のチャンネルのコンテンツデータを視聴することができる。これにより、所望のチャンネルのコンテンツデータの一部をユーザが見逃す不都合を防止する或いは全くなくすことにつながる。従って、ユーザは、所望のチャンネルのコンテンツデータを好適に視聴することができる。【００１８】
他方、例えば、放送回線の回線状況が良好である場合（例えば、放送電波を障害なく受信できる場合等）には、第１再生動作が実行されてもよいし、或いは第２再生動作が実行されてもよい。但し、第２再生動作により所望のコンテンツデータを再生することができない場合には、第１再生動作が実行される。【００１９】
以上説明したように、本発明の第１再生システムによれば、例えば移動端末を用いてコンテンツデータを視聴する場合であっても、該コンテンツデータを極力見逃すことのない良好な視聴環境を実現することができる。【００２０】
本発明の第１再生システムの一の態様は、前記制御手段は、前記第２受信手段により前記所望のチャンネルのコンテンツデータが受信されている場合、前記第２再生動作へ切り替えるように前記再生手段を制御する。【００２１】
この態様によれば、通信回線を介して所望のチャンネルのコンテンツデータが受信されている場合には、通信回線を介して所望のチャンネルのコンテンツデータが優先的に再生される。従って、回線状況が変動しやすい放送回線を介して受信される所望のチャンネルのコンテンツデータを再生する場合と比較して、所望のチャンネルのコンテンツデータの再生品質を相対的に良くすることができる。【００２２】
本発明の第１再生システムの他の態様は、前記制御手段は、前記第２受信手段により受信される前記所望のチャンネルのコンテンツデータを前記再生手段が再生可能な状況になった後に、前記第２再生動作へ切り替えるように前記再生手段を制御する。【００２３】
この態様によれば、移動型再生装置において、通信回線を介して受信される所望のチャンネルのコンテンツデータを、不都合なく再生することができる。尚、「所望のチャンネルのコンテンツデータを前記再生手段が再生可能な状況」とは、例えば、後述の如く、通信回線を介して送信される前記所望のチャンネルのコンテンツデータが所定サイズ以上蓄積（バッファリング）された状況や、移動型再生装置が第２再生動作を行うための初期動作が完了した状況等を示す。【００２４】
尚、第２再生動作を行うことができない状況（例えば、通信回線を介して所望のチャンネルのコンテンツデータが受信できない状況や、所望のチャンネルのコンテンツデータが例えば後述のバッファリング手段に蓄積されていない状況や、移動型再生装置が第２再生動作を行うための初期動作が完了していない状況等）にある場合は、第１再生動作が行われることが好ましい。【００２５】
本発明の第１再生システムの他の態様は、前記移動型再生装置は、前記記録装置から前記通信回線を介して送信される前記所望のチャンネルのコンテンツデータを一時的に蓄積するバッファリング手段を更に備え、前記制御手段は、前記第２受信手段により受信される前記所望のチャンネルのコンテンツデータが、所定サイズ以上前記バッファリング手段に蓄積された後に、前記第２再生動作へ切り替えるように前記再生手段を制御する。【００２６】
この態様によれば、第２再生動作が行われている場合には、所定サイズ以上の所望のチャンネルのコンテンツデータが、バッファリング手段に蓄積されている。具体的には、例えば、数分間の再生を可能とする程度のサイズ以上の所望のチャンネルのコンテンツデータが、バッファリング手段に蓄積されている。これにより、例えば移動型再生装置を搭載する移動体がトンネル等に入ることによって通信回線の回線状況が悪化した場合であっても、バッファリング手段に蓄積された所望のチャンネルのコンテンツデータを再生することができる。従って、通信回線の回線状況が悪化した場合であっても、ユーザは、所望のチャンネルのコンテンツデータを視聴することができる。【００２７】
本発明の第１再生システムの他の態様は、前記複数のチャンネルのコンテンツデータの少なくとも一つは、前記コンテンツデータの再生時間軸に沿って離散的に又は周期的に分布するコマーシャルデータを含んでおり、前記制御手段は、前記第１再生動作により前記コマーシャルデータが再生されている間に、前記第２再生動作へ切り替え且つ前記コマーシャルデータから再生が開始されるように前記再生手段を制御する。【００２８】
この態様によれば、コンテンツデータ（具体的には、例えば、１時間のテレビ番組）中には、離散的に（例えば、１時間の再生時間の中でランダムに再生される）又は周期的に（例えば、１時間の再生時間の中で１５分おきに再生される）コマーシャルデータ（いわゆる、ＣＭ）が分布している。そして、コマーシャルデータが再生されているときに、第１再生動作から第２再生動作へと切り替えられる。このとき、第２再生動作へ切り替えられた後も、コマーシャルデータが再生されるように、切り替えのタイミング或いはコンテンツデータの再生開始ポイントが調整される。【００２９】
これにより、第１再生動作から第２再生動作へ切り替えられた場合において、ユーザは、再生動作が切り替えられたことを、それほど認識することなく、所望のチャンネルのコンテンツデータを、いわば自然に視聴し続けることができる。【００３０】
尚、第２再生動作から第１再生動作へ切り替える場合も、同様に、第２再生動作によりコマーシャルデータが再生されている間に、第１再生動作へ切り替え且つコマーシャルデータから再生が開始されるように再生手段を制御することが好ましい。【００３１】
本発明の第１再生システムの他の態様は、前記記録装置は、前記記録手段による前記所望のチャンネルのコンテンツデータの記録が開始されてからの経過時間を算出する第１算出手段を更に備え、前記第２送信手段は、前記第１算出手段により算出される経過時間が所定の第１閾値を超えた後に、前記記録手段により記録される前記所望のチャンネルのコンテンツデータの送信を開始する。【００３２】
この態様によれば、例えば、記録装置が一定のサイズ以上の所望のチャンネルのコンテンツデータの記録を完了した後に、所望のチャンネルのコンテンツデータの送信が開始される。これにより、例えば記録装置に何らかの不都合が生ずることで記録動作が一時的に停止した場合であっても、記録装置は、所望のチャンネルのコンテンツデータを、移動型再生装置に送信することができる。【００３３】
本発明の第１再生システムの他の態様は、前記移動型再生装置は、前記移動型再生装置の現在位置を検出する検出手段と、前記検出手段により検出される前記現在位置及び地図情報に基づいて、前記移動型再生装置が将来移動する可能性のある複数の候補位置を予測する予測手段と、前記複数の候補位置の夫々において、前記放送回線を介して放送される前記所望のチャンネルのコンテンツデータを前記第１受信手段が受信することができるか否かを判定する判定手段とを更に備え、前記第２送信手段は、前記判定手段により、前記放送回線を介して放送される前記所望のチャンネルのコンテンツデータを前記第１受信手段が受信することができないと判定された場合に、前記記録手段により記録される前記所望のチャンネルのコンテンツデータの送信を開始する。【００３４】
この態様によれば、検出手段の動作により、例えばＧＰＳや各種センサ等を利用して、移動型再生装置（具体的には、移動型再生装置が搭載される移動体）の現在位置が検出される。そして、生成手段の動作により、該現在位置及び地図情報（例えば、地図そのものを示すデータや、地図上に存在する地形・建造物等を示すデータ）を用いて、例えば移動型再生装置の移動方向や今までの移動の経路等を考慮しながら、将来移動する可能性のある複数の候補位置が予測される。その後、判定手段の動作により、複数の候補位置の夫々に、放送回線を介して放送される所望のチャンネルのコンテンツデータを、第１受信手段を用いて受信することができるか否かが判定される。例えば、候補位置に、放送回線を介した受信が不可能になるトンネルや地下道等が存在するか否かが判定される。この判定の結果、放送回線を介して放送される所望のチャンネルのコンテンツデータを受信することができない候補値が含まれていると判定された場合には、第２送信手段の動作により、所望のチャンネルのコンテンツデータの移動型再生装置への送信が開始される。【００３５】
これにより、将来、移動型再生装置が実際に、第１受信手段が所望のチャンネルのコンテンツデータを受信できない候補値に移動した場合であっても、通信回線を介して送信される所望のチャンネルのコンテンツデータを再生することができる。つまり、移動型再生装置は、所望のチャンネルのコンテンツデータの再生を継続することができる。【００３６】
本発明の第１再生システムの他の態様は、前記複数のチャンネルのコンテンツデータの少なくとも一つは、前記コンテンツデータの再生時間軸に沿って離散的に又は周期的に分布するコマーシャルデータを含んでおり、前記第２送信手段は、前記コマーシャルデータが前記記録手段により記録された後に、前記記録手段により記録される前記コマーシャルデータを始点として、前記記録手段により記録される前記所望のチャンネルのコンテンツデータの送信を開始する。【００３７】
この態様によれば、コマーシャルデータを始点に所望のコンテンツデータが通信回線を介して記録装置から移動型再生装置へ送信される。このため、移動型再生装置では、コマーシャルデータから再生を開始することができる。具体的には、上述の如く、コマーシャルデータが再生されているときに、第１再生動作から第２再生動作へと切り替えられ、第２再生動作へ切り替えられた後も、コマーシャルデータが再生される。これにより、第１再生動作から第２再生動作へ切り替えられた場合において、ユーザは、再生動作が切り替えられたことを、それほど認識することなく、所望のチャンネルのコンテンツデータを、いわば自然に視聴し続けることができる。【００３８】
上述の如くコマーシャルデータを始点として、所望のチャンネルのコンテンツデータの送信を開始する再生システムの態様では、前記第２送信手段は、前記第１再生動作により前記コマーシャルデータが再生されている間に、前記記録手段により記録される前記コマーシャルデータを始点として、前記記録手段により記録される前記所望のチャンネルのコンテンツデータの送信を開始し、前記制御手段は、前記第１再生動作により前記コマーシャルデータが再生されている間に、前記第２再生動作へ切り替え且つ前記コマーシャルデータから再生が開始されるように前記再生手段を制御するように構成してもよい。【００３９】
このように構成すれば、コマーシャルデータが再生されているときに、第１再生動作から第２再生動作へと切り替えられ、第２再生動作へ切り替えられた後も、コマーシャルデータが再生される。これにより、第１再生動作から第２再生動作へ切り替えられた場合において、ユーザは、再生動作が切り替えられたことを、それほど認識することなく、所望のチャンネルのコンテンツデータを、いわば自然に視聴し続けることができる。【００４０】
本発明の第１再生システムの他の態様は、前記移動型再生装置は、前記複数のチャンネルのコンテンツデータに対するチャンネル選択が行われてからの経過時間を算出する第２算出手段を更に備え、前記第１送信手段は、前記第２算出手段により算出される経過時間が所定の第２閾値を超えた後に、前記制御情報を送信する。【００４１】
この態様によれば、チャンネルの変更を頻繁に行う、いわゆるザッピングの際には、制御情報を送信しない。チャンネルの変更が行われていない（具体的には、チャンネルが選択されてから一定時間、チャンネルの変更が行われていない）ことが確認されてから、制御情報が送信される。これにより、不必要に制御情報を送信（或いは、生成）することがなくなる。【００４２】
本発明の第１再生システムの他の態様は、前記移動型再生装置は、前記移動型再生装置の現在位置を検出する検出手段と、前記検出手段により検出される前記現在位置及び地図情報に基づいて、前記移動型再生装置が将来移動する可能性のある複数の候補位置を予測する予測手段と、前記複数の候補位置の夫々において、前記放送回線を介して放送される前記所望のチャンネルのコンテンツデータを前記第１受信手段が受信することができるか否かを判定する判定手段とを更に備え、前記第１送信手段は、前記判定手段により、前記放送回線を介して放送される前記所望のチャンネルのコンテンツデータを前記第１受信手段が受信することができないと判定された場合に、前記制御情報を、前記通信回線を介して前記記録装置に送信する。【００４３】
この態様によれば、放送回線を介して放送される所望のチャンネルのコンテンツデータを受信することができない候補値が含まれていると判定された場合には、制御情報が移動型再生装置から記録装置へ送信される。制御情報を受信した記録装置は、所望のチャンネルのコンテンツデータの記録及び移動型再生装置への送信を開始する。【００４４】
これにより、将来、移動型再生装置が実際に、第１受信手段が所望のチャンネルのコンテンツデータを受信できない候補値に移動した場合であっても、通信回線を介して送信される所望のチャンネルのコンテンツデータを再生することができる。つまり、移動型再生装置は、所望のチャンネルのコンテンツデータの再生を継続することができる。【００４５】
本発明の第１再生システムの他の態様は、前記移動型再生装置は、前記記録装置から前記通信回線を介して送信される前記所望のチャンネルのコンテンツデータを一時的に蓄積するバッファリング手段を更に備える。【００４６】
この態様によれば、例えば移動型再生装置を搭載する移動体がトンネル等に入ることによって通信回線の回線状況が悪化した場合であっても、バッファリング手段に蓄積された所望のチャンネルのコンテンツデータを再生することができる。従って、通信回線の回線状況が悪化した場合であっても、ユーザは、所望のチャンネルのコンテンツデータを視聴することができる。【００４７】
上記課題を解決するために、本発明の第２再生システムは、放送局より放送回線を介して放送される複数のチャンネルのコンテンツデータを受信すると共に再生する移動型再生装置と、前記放送局より前記放送回線を介して放送される前記複数のチャンネルのコンテンツデータを受信すると共に格納する記録装置を備える再生システムであって、前記移動型再生装置は、前記放送回線を介して放送される前記複数のチャンネルのコンテンツデータのうち所望のチャンネルのコンテンツデータを受信する第１受信手段と、前記記録装置が前記所望のチャンネルのコンテンツデータを前記移動型再生装置に送信するために必要な制御情報を、通信回線を介して前記記録装置に送信する第１送信手段と、前記記録装置から前記通信回線を介して送信される前記所望のチャンネルのコンテンツデータを受信する第２受信手段と、前記第１受信手段及び前記第２受信手段の少なくとも一方により受信される前記所望のチャンネルのコンテンツデータを再生する再生手段と、(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段とを備え、前記記録装置は、前記移動型再生装置から前記通信回線を介して送信される前記制御情報を受信する第３受信手段と、前記放送回線を介して放送される前記複数のチャンネルのコンテンツデータを格納する格納手段と、前記制御情報に基づいて、前記格納手段により格納される前記所望のチャンネルのコンテンツデータを、前記通信回線を介して前記移動型再生装置に送信する第２送信手段とを備える。【００４８】
本発明の第２再生システムによれば、上述した第１再生システムと同様に、移動型再生装置は、制御手段の動作により、第１受信手段の動作により受信される（つまり、放送回線を介して放送局から直接的に受信される）所望のチャンネルのコンテンツデータを再生する第１再生動作を実行するか、第２受信手段の動作により受信される（つまり、通信回線を介して放送局から間接的に受信される）所望のチャンネルのコンテンツデータを再生する第２再生動作を実行するかを、適宜切り替えることができる。【００４９】
第２再生システムでは特に、記録装置が備える格納手段に格納されている所望のチャンネルのコンテンツデータが、第２送信手段の動作により、通信回線を介して送信される。つまり、放送回線を介して受信される所望のチャンネルのコンテンツデータを逐次記録しなくとも、それが既に記録されている格納手段を備えているため、上述した第１再生システムが有する利益と同様の利益を、第２再生システムにも享受することができる。【００５０】
尚、上述した本発明の第１再生システムにおける各種態様に対応して、本発明の第２再生システムも各種態様を採ることが可能である。【００５１】
（再生方法）
上記課題を解決するために、本発明の第１再生方法は、放送局より放送回線を介して放送される複数のチャンネルのコンテンツデータを受信すると共に格納する移動型再生装置と、前記放送局より前記放送回線を介して放送される前記複数のチャンネルのコンテンツデータを受信すると共に記録する記録装置を備える再生システムにおける再生方法であって、前記放送回線を介して放送される前記複数のチャンネルのコンテンツデータを前記移動型再生装置において受信する第１受信工程と、前記記録装置が前記所望のチャンネルのコンテンツデータを前記移動型再生装置に送信するために必要な制御情報を、通信回線を介して前記記録装置に送信する第１送信工程と、前記記録装置から前記通信回線を介して送信される前記所望のチャンネルのコンテンツデータを受信する第２受信工程と、前記第１受信工程及び前記第２受信工程の少なくとも一方において受信される前記所望のチャンネルのコンテンツデータを再生する再生工程と、(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替える制御工程と、前記移動型再生装置から前記通信回線を介して送信される前記制御情報を受信する第３受信工程と、前記放送回線を介して放送される前記複数のチャンネルのコンテンツデータを前記記録装置において受信する第４受信工程と、前記制御情報に基づいて、前記第３受信工程において受信される複数のチャンネルのコンテンツデータのうち前記所望のチャンネルのコンテンツデータを記録する記録工程と、前記記録工程において記録される前記所望のチャンネルのコンテンツデータを、前記通信回線を介して前記移動型再生装置に送信する第２送信工程とを備える。【００５２】
本発明の第１再生方法によれば、上述した本発明の第１再生システムが有する各種利益と同様の利益を享受することができる。【００５３】
尚、上述した本発明の第１再生システムにおける各種態様に対応して、本発明の第１再生方法も各種態様を採ることが可能である。【００５４】
上記課題を解決するために、本発明の第２再生方法は、放送局より放送回線を介して放送される複数のチャンネルのコンテンツデータを受信すると共に再生する移動型再生装置と、前記放送局より前記放送回線を介して放送される前記複数のチャンネルのコンテンツデータを受信すると共に格納する記録装置を備える再生システムにおける再生方法であって、前記放送回線を介して放送される前記複数のチャンネルのコンテンツデータのうち所望のチャンネルのコンテンツデータを受信する第１受信工程と、前記記録装置が前記所望のチャンネルのコンテンツデータを前記移動型再生装置に送信するために必要な制御情報を、通信回線を介して前記記録装置に送信する第１送信工程と、前記記録装置から前記通信回線を介して送信される前記所望のチャンネルのコンテンツデータを受信する第２受信工程と、前記第１受信工程及び前記第２受信工程の少なくとも一方において受信される前記所望のチャンネルのコンテンツデータを再生する再生工程と、(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替える制御工程と、前記移動型再生装置から前記通信回線を介して送信される前記制御情報を受信する第３受信工程と、前記記録装置に格納される前記所望のチャンネルのコンテンツデータを、前記通信回線を介して前記移動型再生装置に送信する第２送信工程とを備える。【００５５】
本発明の第２再生方法によれば、上述した本発明の第２再生システムが有する各種利益と同様の利益を享受することができる。【００５６】
尚、上述した本発明の第２再生システムにおける各種態様に対応して、本発明の第２再生方法も各種態様を採ることが可能である。【００５７】
（移動型再生装置）
上記課題を解決するために、本発明の移動型再生装置は、放送局より放送回線を介して放送される複数のチャンネルのコンテンツデータを受信する移動型再生装置であって、前記放送回線を介して放送される前記複数のチャンネルのコンテンツデータのうち所望のチャンネルのコンテンツデータを受信する第１受信手段と、記録装置が前記複数のチャンネルのコンテンツデータのうち所望のチャンネルのコンテンツデータを前記移動型再生装置に送信するために必要な制御情報を、通信回線を介して前記記録装置に送信する第１送信手段と、前記記録装置から前記通信回線を介して送信される前記所望のチャンネルのコンテンツデータを受信する第２受信手段と、前記第１受信手段及び前記第２受信手段の少なくとも一方により受信される前記所望のチャンネルのコンテンツデータを再生する再生手段と、(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段とを備える。【００５８】
本発明の移動型再生装置によれば、上述した本発明の第１又は第２再生システムが有する各種利益と同様の利益を享受することができる。【００５９】
尚、上述した本発明の第１又は第２再生システムにおける各種態様に対応して、本発明の移動型再生装置も各種態様を採ることが可能である。【００６０】
（記録装置）
上記課題を解決するために、本発明の第１記録装置は、放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを前記移動型再生装置に送信するために必要な制御情報を受信する第３受信手段と、前記放送回線を介して放送される前記複数のチャンネルのコンテンツデータを受信する第４受信手段と、前記制御情報に基づいて、前記第４受信手段により受信される複数のチャンネルのコンテンツデータのうち前記所望のチャンネルのコンテンツデータを記録する記録手段と、前記記録手段により記録される前記所望のチャンネルのコンテンツデータを、前記通信回線を介して前記移動型再生装置に送信する第２送信手段とを備える。【００６１】
本発明の第１記録装置によれば、上述した本発明の第１再生システムが有する各種利益と同様の利益を享受することができる。【００６２】
尚、上述した本発明の第１再生システムにおける各種態様に対応して、本発明の第１記録装置も各種態様を採ることが可能である。【００６３】
上記課題を解決するために、本発明の第２記録装置は、放送局より放送回線を介して放送される複数のチャンネルのコンテンツデータを格納する記録装置であって、移動型再生装置から前記通信回線を介して送信され且つ、当該記録装置が前記複数のチャンネルのコンテンツデータのうち所望のチャンネルのコンテンツデータを前記移動型再生装置に送信するために必要な制御情報を受信する第３受信手段と、前記放送回線を介して放送される前記複数のチャンネルのコンテンツデータを格納する格納手段と、前記格納手段により格納される前記所望のチャンネルのコンテンツデータを、前記通信回線を介して前記移動型再生装置に送信する第２送信手段とを備える。【００６４】
本発明の第２記録装置によれば、上述した本発明の第２再生システムが有する各種利益と同様の利益を享受することができる。【００６５】
尚、上述した本発明の第２再生システムにおける各種態様に対応して、本発明の第２記録装置も各種態様を採ることが可能である。【００６６】
（コンピュータプログラム）
上記課題を解決するために、本発明の第１コンピュータプログラムは、放送局より放送回線を介して放送される複数のチャンネルのコンテンツデータを受信する移動型再生装置であって、前記放送回線を介して放送される前記複数のチャンネルのコンテンツデータのうち所望のチャンネルのコンテンツデータを受信する第１受信手段と、前記記録装置が前記所望のチャンネルのコンテンツデータを前記移動型再生装置に送信するために必要な制御情報を、通信回線を介して前記記録装置に送信する第１送信手段と、前記記録装置から前記通信回線を介して送信される前記所望のチャンネルのコンテンツデータを受信する第２受信手段と、前記第１受信手段及び前記第２受信手段の少なくとも一方により受信される前記所望のチャンネルのコンテンツデータを再生する再生手段と、(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段とを備える移動型再生装置に備えられたコンピュータを制御するコンピュータプログラムであって、前記コンピュータを、前記第１受信手段、前記第１送信手段、前記第２受信手段、前記再生手段及び前記制御手段のうち少なくとも一部として機能させる。【００６７】
本発明の第１コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の移動型再生装置（或いは、上述した本発明の第１再生システム）を比較的簡単に実現できる。【００６８】
尚、上述した本発明の移動型再生装置における各種態様に対応して、本発明の第１コンピュータプログラムも各種態様を採ることが可能である。【００６９】
上記課題を解決するために、本発明の第２コンピュータプログラムは、放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを前記移動型再生装置に送信するために必要な制御情報を受信する第３受信手段と、前記放送回線を介して放送される前記複数のチャンネルのコンテンツデータを受信する第４受信手段と、前記制御情報に基づいて、前記第４受信手段により受信される複数のチャンネルのコンテンツデータのうち前記所望のチャンネルのコンテンツデータを記録する記録手段と、前記記録手段により記録される前記所望のチャンネルのコンテンツデータを、前記通信回線を介して前記移動型再生装置に送信する第２送信手段とを備える記録装置（即ち、上述した本発明の第１記録装置（但し、その各種態様を含む））に備えられたコンピュータを制御するコンピュータプログラムであって、前記コンピュータを、前記第３受信手段、前記第４受信手段、前記記録手段及び前記第２送信手段のうち少なくとも一部として機能させる。【００７０】
本発明の第２コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の第１記録装置（或いは、上述した本発明の第１再生システム）を比較的簡単に実現できる。【００７１】
尚、上述した本発明の第１記録装置における各種態様に対応して、本発明の第２コンピュータプログラムも各種態様を採ることが可能である。【００７２】
上記課題を解決するために、本発明の第３コンピュータプログラムは、放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを前記移動型再生装置に送信するために必要な制御情報を受信する第３受信手段と、前記放送回線を介して放送される前記複数のチャンネルのコンテンツデータを格納する格納手段と、前記格納手段により格納される前記所望のチャンネルのコンテンツデータを、前記通信回線を介して前記移動型再生装置に送信する第２送信手段とを備える記録装置（即ち、上述した本発明の第２記録装置（但し、その各種態様を含む））に備えられたコンピュータを制御するコンピュータプログラムであって、前記コンピュータを、前記第３受信手段、前記格納手段及び前記第２送信手段のうち少なくとも一部として機能させる。【００７３】
本発明の第３コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の第２記録装置（或いは、上述した本発明の第２再生システム）を比較的簡単に実現できる。【００７４】
尚、上述した本発明の第２記録装置における各種態様に対応して、本発明の第３コンピュータプログラムも各種態様を採ることが可能である。【００７５】
上記課題を解決するために、コンピュータ読取可能な媒体内の第１コンピュータプログラム製品は、上述した本発明の移動型再生装置に備えられたコンピュータにより実行可能なプログラム命令を明白に具現化し、該コンピュータを、前記第１受信手段、前記第１送信手段、前記第２受信手段、前記再生手段及び前記制御手段のうち少なくとも一部として機能させる。【００７６】
上記課題を解決するために、コンピュータ読取可能な媒体内の第２コンピュータプログラム製品は、上述した本発明の第１記録装置に備えられたコンピュータにより実行可能なプログラム命令を明白に具現化し、該コンピュータを、前記第３受信手段、前記第４受信手段、前記記録手段及び前記第２送信手段のうち少なくとも一部として機能させる。【００７７】
上記課題を解決するために、コンピュータ読取可能な媒体内の第３コンピュータプログラム製品は、上述した本発明の第２記録装置に備えられたコンピュータにより実行可能なプログラム命令を明白に具現化し、該コンピュータを、前記第３受信手段、前記格納手段及び前記第２送信手段のうち少なくとも一部として機能させる。【００７８】
本発明の各コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の移動型再生装置（或いは、上述した本発明の第１再生システム）、第１記録装置（或いは、上述した本発明の第１再生システム）、又は第２記録装置（或いは、上述した本発明の第２再生システム）を比較的容易に実施可能となる。更に具体的には、当該コンピュータプログラム製品は、上述した本発明の移動型再生装置（或いは、上述した本発明の第１再生システム）、第１記録装置（或いは、上述した本発明の第１再生システム）、又は第２記録装置（或いは、上述した本発明の第２再生システム）として機能させるコンピュータ読取可能なコード（或いはコンピュータ読取可能な命令）から構成されてよい。【００７９】
本発明のこのような作用及び他の利得は次に説明する実施例から更に明らかにされよう。【００８０】
以上説明したように、本発明の第１再生システムによれば、第１受信手段、第１送信手段、第２受信手段、再生手段及び切替手段を備える移動型再生装置と、第３受信手段、第４受信手段、記録手段及び第２送信手段を備える記録装置とを備える。本発明の第２再生システムによれば、第１受信手段、第１送信手段、第２受信手段、再生手段及び切替手段を備える移動型再生装置と、第３受信手段、格納手段及び第２送信手段を備える記録装置とを備える。従って、移動端末を用いてテレビ番組等のコンテンツデータを視聴する場合であっても、コンテンツデータを極力見逃すことのない良好な視聴環境を実現することができる。
【図面の簡単な説明】
【００８１】
【図１】本実施例に係る再生システムの基本構成を概念的に示すブロック図である。
【図２】本実施例に係る再生システムが備えるカーナビゲーション装置の基本構成を概念的に示すブロック図である。
【図３】本実施例に係る再生システムが備えるハードディスクレコーダの基本構成を概念的に示すブロック図である。
【図４】本実施例に係る再生システムの第１動作例の流れを概念的に示すフローチャートである。
【図５】ハードディスクレコーダからカーナビゲーション装置へのコンテンツデータの送信のタイミング及び受信されたコンテンツデータのカーナビゲーション装置における再生のタイミングの第１の例を示すタイミングチャートである。
【図６】ハードディスクレコーダからカーナビゲーション装置へのコンテンツデータの送信のタイミング及び受信されたコンテンツデータのカーナビゲーション装置における再生のタイミングの第２の例を示すタイミングチャートである。
【図７】ハードディスクレコーダからカーナビゲーション装置へのコンテンツデータの送信のタイミング及び受信されたコンテンツデータのカーナビゲーション装置における再生のタイミングの第３の例を示すタイミングチャートである。
【図８】ハードディスクレコーダからカーナビゲーション装置へのコンテンツデータの送信のタイミング及び受信されたコンテンツデータのカーナビゲーション装置における再生のタイミングの第４の例を示すタイミングチャートである。
【図９】ハードディスクレコーダからカーナビゲーション装置へのコンテンツデータの送信のタイミング及び受信されたコンテンツデータのカーナビゲーション装置における再生のタイミングの第５の例を示すタイミングチャートである。
【図１０】本実施例に係る再生システムの第２動作例の流れを概念的に示すフローチャートである。
【図１１】ハードディスクレコーダからカーナビゲーション装置へのコンテンツデータの送信のタイミング及び受信されたコンテンツデータのカーナビゲーション装置における再生のタイミングの第６の例を示すタイミングチャートである。
【図１２】本実施例に係る再生システムの第２動作例の他の流れを概念的に示すフローチャートである。
【符号の説明】
【００８２】
１  再生システム
１００  カーナビゲーション装置
１０１  放送用アンテナ部
１０２  チューナ部
１０３  ネットワーク通信部
１０４  受信バッファ
１０６  再生部
１０７  ＧＰＳ受信部
１０８  センサ部
１０９  ハードディスク
１１２  ＣＰＵ
１１３  制御情報生成部
１１４  再生源切替部
１１５  番組解析部
１１７  候補位置予測部
１１８  メモリ
２００  ハードディスクレコーダ
２０１  放送用アンテナ部
２０２  チューナ部
２０３  ネットワーク通信部
２０６  再生部
２０７  記録部
２０９  ハードディスク
２１２  ＣＰＵ
２１８  メモリ
【発明を実施するための最良の形態】
【００８３】
以下、本発明を実施するための最良の形態について実施例毎に順に図面に基づいて説明する。【００８４】
（１）  基本構成
初めに、図１から図３を参照して、本発明の再生システムに係る実施例としての再生システム１の基本構成について説明する。ここに、図１は、本実施例に係る再生システム１の基本構成を概念的に示すブロック図であり、図２は、本実施例に係る再生システム１が備えるカーナビゲーション装置１００の基本構成を概念的に示すブロック図であり、図３は、本実施例に係る再生システム１が備えるハードディスクレコーダ２００の基本構成を概念的に示すブロック図である。【００８５】
図１に示すように、本実施例に係る再生システム１は、カーナビゲーション装置１００と、ハードディスクレコーダ２００と、通信ネットワーク網３００と、放送局４００とを備えている。【００８６】
カーナビゲーション装置１００は、本発明における「移動型再生装置」の一具体例を構成しており、例えば自動車等の移動体に搭載されるナビゲーション装置である。カーナビゲーション装置１００は特に、放送局４００から放送される放送電波４１０を受信し、該放送電波４１０を復調することで取得されるテレビ番組を再生する機能を備えている。また、カーナビゲーション装置１００は、通信ネットワーク網３００を介して、ハードディスクレコーダ２００その他の外部機器との間で無線又は一部有線の通信を行う機能、及びハードディスクレコーダ２００からテレビ番組を受信し、このテレビ番組を再生する機能を備えている。カーナビゲーション装置１００の具体的な構成については、後に詳述する（図２参照）。【００８７】
尚、例えば、放送電波を受信する機能及び通信機能を有する携帯電話、ＰＤＡ又はモバイルパソコン等のモバイル端末であっても、カーナビゲーション装置１００と同様に、後述する動作を行うことができる。つまり、携帯性および可搬性に優れ、屋外を移動することが予定された装置であって、且つ。放送電波を受信する機能及び通信機能を有する装置であれば、カーナビゲーション装置１００と同様に、後述する動作を行うことができる。【００８８】
ハードディスクレコーダ２００は、本発明における「記録装置」の一具体例を構成しており、例えば自宅等に備え付けられると共に、放送局４００から放送される放送電波４１０を受信し、該放送電波４１０を復調することで取得されるテレビ番組をハードディスク等の情報記録媒体に記録（言い換えれば、録画）する機能を備えている。また、ハードディスクレコーダ２００は、通信ネットワーク網３００を介して、ハードディスクレコーダ２００その他の外部機器との間で無線又は一部有線の通信を行う機能を備えている。ハードディスクレコーダ２００の具体的な構成については、後に詳述する（図３参照）。【００８９】
尚、屋内に備え付けられることを予定された装置であって、且つ上述した機能を有する装置であれば、ハードディスクレコーダ２００と同様に、後述する動作を行うことができる。【００９０】
通信ネットワーク網３００は、本発明における「通信回線」の一具体例を構成しており、例えば、携帯電話網、ＩＭＴ−２０００、ＰＨＳ又は無線ＬＡＮ等の無線ネットワーク網を含んでいる。尚、カーナビゲーション装置１００とハードディスクレコーダとの間の通信線路のすべてが無線でなくてもよく、通信線路の一部が有線であってもよい。例えば、今日では、インターネット網と携帯電話網とがモバイルインターネットサーバなどの接続装置を介して接続された通信線路が普及している。このような有線と無線とが混在した通信線路を、通信ネットワーク網３００として用いてもよい。このような通信線路を用いた場合、ハードディスクレコーダ２００は例えば固定電話回線（有線）などを介してインターネット網に接続する。【００９１】
放送局４００は、テレビ番組を放送する基地局であって、送信アンテナ４０１を備えている。送信アンテナ４０１からは、放送電波４１０が送信されている。放送電波４１０は、例えばニュース番組やバラエティー番組やドラマ番組等のテレビ番組を示すコンテンツデータによって変調されている。コンテンツデータによって変調された放送電波４１０は、カーナビゲーション装置１００及びハードディスクレコーダ２００により受信される。【００９２】
図２に示すように、カーナビゲーション装置１００は、放送用アンテナ１０１と、チューナ部１０２と、ネットワーク通信部１０３と、受信バッファ１０４と、ディスプレイ・スピーカ１０５と、再生部１０６と、ＧＰＳ受信部１０７と、センサ部１０８と、ハードディスク１０９と、操作部１１１と、ＣＰＵ１１２と、メモリ１１８と、データバス１１９とを備えている。【００９３】
放送用アンテナ１０１は、チューナ部１０２と共に本発明における「第１受信手段」の一具体例を構成しており、放送局４００から送信される放送電波４１０を放送信号として受信すると共に、該受信された放送信号を、チューナ部１０２へ出力する。【００９４】
チューナ部１０２は、放送用アンテナ１０１と共に本発明における「第１受信手段」の一具体例を構成しており、放送用アンテナ１０１において受信された放送信号に対して、チューニング処理を行う。チューニング処理により、ユーザが視聴したいテレビ番組のチャンネルに応じた周波数帯の放送信号が、コンテンツデータとして再生部１０６へ出力される。【００９５】
ネットワーク通信部１０３は、本発明における「第１送信手段」及び「第２受信手段」の一具体例を構成しており、通信ネットワーク網３００を介したカーナビゲーション装置１００とハードディスクレコーダ２００との間のデータの送受信を行う。具体的には、ネットワーク通信部１０３は、制御データ生成部１１３により生成される制御データをハードディスクレコーダ２００へ送信すると共に、ハードディスクレコーダ２００から送信されるコンテンツデータを受信する。このとき、ネットワーク通信部１０３は、送信するデータに対して、通信ネットワーク網３００に応じた通信用のフォーマットに変換すると共に、受信するデータに対して、カーナビゲーション装置１００内でデータ処理するためのフォーマットに変換する。【００９６】
受信バッファ１０４は、本発明における「バッファリング手段」の一具体例を構成しており、ハードディスクレコーダ２００から送信されるコンテンツデータを一時的に蓄積する。受信バッファ１０４は、例えば、ＤＲＡＭ（Dynamic Random Access Memory）やフラッシュメモリ等の半導体メモリである。【００９７】
ディスプレイ・スピーカ１０５は、再生部１０６において再生されるコンテンツデータを、映像や音声として出力可能に構成されている。【００９８】
再生部１０６は、本発明における「再生手段」の一具体例を構成しており、チューナ部１０２より出力されるコンテンツデータ及び受信バッファ１０４に蓄積されたコンテンツデータを再生する。具体的には、再生部１０６は、コンテンツデータに対して例えばデコーディング処理等を施すことで、該コンテンツデータを映像信号及び音声信号に変換する。映像信号及び音声信号の夫々は、ディスプレイ・スピーカ１０５へ出力される。【００９９】
ＧＰＳ受信部１０７は、後述の本発明における「検出手段」の一具体例を構成しており、ＧＰＳ測位法に基づいて自車の現在位置を検出し、現在位置情報を提供する。現在位置情報は自車の現在位置を示す緯度と経度の値である。ＧＰＳ測位法に基づいて得られた現在位置情報のみでは誤差が大きい場合には、マップマッチング法或いはセンサ１０８部を用いた自律航法に基づいて現在位置情報の誤差が補正される。【０１００】
センサ部１０８は、例えば加速センサ、角速度センサ及び速度センサを備えており、自車の移動方向および移動速度を検出し、これらを示す移動情報を提供する。【０１０１】
ハードディスク１０９は、磁気記録媒体であって、地図データ１１０を長期間保持可能な状態で記憶する。尚、ハードディスク１０９に限らず、例えばＣＤやＤＶＤ等の光ディスクや、その他の各種記録媒体を用いてもよいことは言うまでもない。【０１０２】
操作部１１１は、例えば、リモコンや、タッチパネルや、操作ボタンや、マウスや、キーボード等を備えており、該操作部１１１を用いたユーザの操作に関連するユーザ操作情報を出力する。【０１０３】
ＣＰＵ１１２は、チューナ部１０２、ネットワーク通信部１０３、受信バッファ１０４、ディスプレイ・スピーカ１０５、再生部１０６、ＧＰＳ受信部１０７、センサ部１０８、ハードディスク１０９、操作部１１１及びメモリ１１８と、データバス１１９を介して接続され、これらの構成手段に指示を行うことで、カーナビゲーション１００全体の制御を行う。通常、ＣＰＵ１１２が動作するためのソフトウェア又はファームウェアは、メモリ１１８に格納されている。【０１０４】
より具体的には、ＣＰＵ１１２は、その内部の論理ブロックとして、制御情報生成部１１３と、再生源切替部１１４と、番組解析部１１５と、ルート探索部１１６と、候補位置予測部１１７とを備えている。【０１０５】
制御情報生成部１１３は、カーナビゲーション装置１００が受信しているテレビ番組のチャンネル（言い換えれば、チューナ部１０２においてチューニングされることで再生部１０６へ出力されるコンテンツデータが示すテレビ番組のチャンネル）を示すチャンネル情報を少なくとも含む制御情報を生成する。生成された制御情報は、ネットワーク通信部１０３の動作によりハードディスクレコーダ２００へ送信される。【０１０６】
再生源切替部１１４は、本発明における「切替手段」の一具体例を構成しており、再生部１０６において、(i)放送用アンテナ部１０１及びチューナ部１０２において受信された放送信号を用いてテレビ番組を再生するか（即ち、ディスプレイ・スピーカ１０５に出力するか）、(ii)通信ネットワーク網３００を介してハードディスクレコーダ２００から送信されるコンテンツデータを用いてテレビ番組をディスプレイ・スピーカ１０５に出力するかを適宜切り替える。この切替動作については、後に詳述する（図４等参照）。【０１０７】
番組解析部１１５は、テレビ番組の内容を解析する。特に、後述するように、テレビ番組中のＣＭ（コマーシャル）を抽出する機能を有している。【０１０８】
ルート探索部１１６は、ハードディスク１０９中に記録される地図データ１１０を用いて、ＧＰＳ受信部１０７において検出される自車の現在位置から目的地までのルートを検索する。ルート検索の結果（即ち、検索されたルート）は、ディスプレイ・スピーカ１０５に出力される。【０１０９】
候補位置予測部１１７は、本発明における「予測手段」の一具体例を構成しており、ハードディスク１０９中に記録される地図データ１１０を用いて、ＧＰＳ受信部１０７において検出される自車の現在位置、センサ部１０８において検出される移動情報及び自車のこれまでの移動の傾向（具体的には、例えば、移動の方向や、移動速度等の傾向等）に基づいて、将来（例えば、数秒後、数分後又は数時間後等）に自車が存在していると予測される位置を予測する。【０１１０】
メモリ１１８は、カーナビゲーション装置１００としての動作を行うためのプログラム、即ちファームウェアが格納されるＲＯＭ領域と、カーナビゲーション装置１００として動作する際に用いられる各種データを一時的に格納するためのＲＡＭ領域とを含んでいる。【０１１１】
図３に示すように、ハードディスクレコーダ２００は、放送用アンテナ２０１と、チューナ部２０２と、ネットワーク通信部２０３と、ディスプレイ・スピーカ２０５と、再生部２０６と、記録部２０７と、ハードディスク２０９と、操作部２１１と、ＣＰＵ２１２と、メモリ２１８と、データバス２１９とを備えている。【０１１２】
放送用アンテナ２０１は、チューナ部２０２と共に本発明における「第４受信手段」の一具体例を構成しており、放送局４００から送信される放送電波４１０を放送信号として受信すると共に、該受信された放送信号を、チューナ部２０２へ出力する。【０１１３】
チューナ部２０２は、放送用アンテナ２０１と共に本発明における「第４受信手段」の一具体例を構成しており、放送用アンテナ２０１において受信された放送信号に対して、チューニング処理を行う。チューニング処理により、ハードディスク２０９に記録するべきテレビ番組のチャンネルに応じた周波数帯の放送信号が、コンテンツデータとして再生部２０６及び記録部２０７へ出力される。【０１１４】
ネットワーク通信部２０３は、本発明における「第２送信手段」及び「第３受信手段」の一具体例を構成しており、通信ネットワーク網３００を介したカーナビゲーション装置１００とハードディスクレコーダ２００との間のデータの送受信を行う。具体的には、ネットワーク通信部２０３は、カーナビゲーション装置２００の制御データ生成部１１３により生成される制御データを受信すると共に、記録部２０６の動作によりハードディスク２０９に記録されるコンテンツデータを、通信ネットワーク網３００を介してカーナビゲーション装置１００へ送信する。このとき、ネットワーク通信部２０３は、送信するデータに対して、通信ネットワーク網３００に応じた通信用のフォーマットに変換すると共に、受信するデータに対して、ハードディスクレコーダ２００内でデータ処理するためのフォーマットに変換する。【０１１５】
ディスプレイ・スピーカ２０５は、再生部２０６において再生されるコンテンツデータを、映像や音声として出力可能に構成されている。【０１１６】
再生部２０６は、チューナ部２０２より出力されるコンテンツデータを再生する。具体的には、再生部２０６は、コンテンツデータに対して例えばデコーディング処理等を施すことで、該コンテンツデータを映像信号及び音声信号に変換する。映像信号及び音声信号の夫々は、ディスプレイ・スピーカ２０５へ出力される。【０１１７】
記録部２０７は、チューナ部２０２より出力されるコンテンツデータをハードディスク２０９に記録する。【０１１８】
ハードディスク２０９は、磁気記録媒体であって、記録部２０７の動作により記録されるコンテンツデータを長期間保持可能な状態で記憶する。尚、ハードディスク１０９に限らず、例えばＣＤやＤＶＤ等の光ディスクや、その他の各種記録媒体を用いてもよいことは言うまでもない。【０１１９】
操作部２１１は、例えば、リモコンや、タッチパネルや、操作ボタンや、マウスや、キーボード等を備えており、該操作部２１１を用いたユーザの操作に関連するユーザ操作情報を出力する。【０１２０】
ＣＰＵ２１２は、チューナ部２０２、ネットワーク通信部２０３、ディスプレイ・スピーカ２０５、再生部２０６、記録部２０７、ハードディスク２０９、操作部２１１及びメモリ２１８と、データバス２１９を介して接続され、これらの構成手段に指示を行うことで、ハードディスクレコーダ２００全体の制御を行う。通常、ＣＰＵ２１２が動作するためのソフトウェア又はファームウェアは、メモリ２１８に格納されている。【０１２１】
メモリ２１８は、ハードディスクレコーダ２００としての動作を行うためのプログラム、即ちファームウェアが格納されるＲＯＭ領域と、ハードディスクレコーダ２００として動作する際に用いられる各種データを一時的に格納するためのＲＡＭ領域とを含んでいる。【０１２２】
（２）  第１動作例
続いて、図４を参照して、本実施例に係る再生システム１の第１動作例について説明する。ここに、図４は、本実施例に係る再生システム１の第１動作例の流れを概念的に示すフローチャートである。【０１２３】
図４に示すように、初めに、操作部１１１を用いたユーザの操作に応じて出力されるユーザ操作情報に基づいて、受信するべきテレビ番組のチャンネルが選択される（ステップＳ１０１）。【０１２４】
選択されたチャンネルに応じて、チューナ部１０２がチューニング処理を行うことで、選択されたチャンネルに応じた周波数帯の放送信号が、コンテンツデータとして再生部１０６へ出力される。その後、再生部１０６の動作により、チューナ部１０２から出力されるコンテンツデータに対してデコーディング処理等が施されることで、選択されたチャンネルのテレビ番組がディスプレイ・スピーカ１０５に出力される（ステップＳ１０２）。つまり、放送用アンテナ１０１及びチューナ部１０２において受信されるコンテンツデータを用いて、テレビ番組が再生される。ここでは、再生源切替部１１４は、放送用アンテナ部１０１及びチューナ部１０２において受信されるコンテンツデータを用いてテレビ番組を再生するように、再生部１０６を制御する。【０１２５】
このとき、ユーザがカーナビゲーション装置１００を用いてテレビ番組の視聴を開始する（言い換えれば、カーナビゲーション装置１００におけるテレビ番組の再生が開始する）ことに合わせて、制御情報生成部１１３が、ハードディスクレコーダ２００を起動するための起動コマンドを含む制御情報を生成するように構成してもよい。生成された制御情報は、ネットワーク通信部１０３及び２０３の動作により、カーナビゲーション装置１００からハードディスクレコーダ２００へと送信される。起動コマンドを含む制御情報を受信したハードディスクレコーダ２００は、ハードディスクレコーダ２００の電源をＯＮ状態（或いは、起動完了状態）にする。【０１２６】
尚、このとき、ハードディスクレコーダ２００の状態を確認し、ハードディスクレコーダ２００がスタンバイ状態にあるときに選択的に制御情報を送信することで、ハードディスクレコーダ２００の電源をＯＮ状態にすることが好ましい。ハードディスクレコーダ２００の状態を確認する手法としては、以下の２つの手法が具体例として挙げられる。【０１２７】
まず１つ目の手法として、カーナビゲーション装置１００からハードディスクレコーダ２００に対して、ハードディスクレコーダ２００からの応答を要求するコマンドを含む制御情報を送信する手法が挙げられる。一定時間以内にハードディスクレコーダ２００から応答がなければ、ハードディスクレコーダ２００がスタンバイ状態にあると認識できる。他方、一定時間以内にハードディスクレコーダ２００から応答があれば、ハードディスクレコーダ２００の電源がＯＮ状態にあると認識できる。【０１２８】
２つ目の手法として、カーナビゲーション装置１００とハードディスクレコーダ２００との間の通信ネットワーク網３００を介したコネクションを確立しておき（言い換えれば、通信ネットワーク部１０３及び２０３を有効に起動しておき）、該コネクションを利用して、ハードディスクレコーダ２００の状態を確認するためのコマンドを含む制御情報を、カーナビゲーション装置１００から送信する手法が挙げられる。かかる制御情報に対して、ハードディスクレコーダ２００は、自身の状態を示す情報（或いは、その他何らかの応答を示す情報）をカーナビゲーション装置１００に対して送信する。【０１２９】
続いて、本発明における「第２算出手段」の一具体例を構成するＣＰＵ１１２の制御の下に、ステップＳ１０１において選択されたチャンネルとは異なるチャンネルを選択するための操作が、所定時間以上（例えば、数秒、数十秒或いは数分以上）ユーザによりなされていないか否かが判定される（ステップＳ１０３）。【０１３０】
ステップＳ１０３における判定の結果、異なるチャンネルを選択するための操作が、所定時間以上ユーザによりなされていると判定された場合には（ステップＳ１０３：Ｎｏ）、ステップＳ１０２へ戻り、新たに選択されたチャンネルに応じて、チューナ部１０２がチューニング処理を施し且つ再生部１０６がデコーディング処理を行うことで、新たに選択されたチャンネルのテレビ番組がディスプレイ・スピーカ１０５に出力される。【０１３１】
他方、ステップＳ１０３における判定の結果、異なるチャンネルを選択するための操作が、所定時間以上ユーザによりなされていないと判定された場合には（ステップＳ１０３：Ｙｅｓ）、続いて、制御情報生成部１１３の動作により、制御情報が生成される（ステップＳ１０４）。【０１３２】
続いて、ネットワーク通信部１０３及び２０３の動作により、カーナビゲーション装置１００とハードディスクレコーダ２００との間のコネクションが、通信ネットワーク網３００上に確立される（ステップＳ１０５）。【０１３３】
その後、ステップＳ１０４において生成された制御情報が、ステップＳ１０５において確立されたコネクションを用いて、カーナビゲーション装置１００からハードディスクレコーダ２００へ送信される。【０１３４】
以上、ステップＳ１０１からステップＳ１０６までの動作は、主としてカーナビゲーション装置１００側において実行される。【０１３５】
続いて、ステップＳ１０６において送信された制御情報は、通信ネットワーク部２０３の動作により、ハードディスクレコーダ２００側で受信される（ステップＳ１０７）。該受信された制御情報を解析することで、ハードディスクレコーダ２００は、カーナビゲーション装置１００が受信しているテレビ番組のチャンネルを認識することができる。【０１３６】
その後、制御情報により示されるチャンネルに応じて、チューナ部２０２がチューニング処理を行うことで、制御情報により示されるチャンネルに応じた周波数帯の放送信号が、コンテンツデータとして記録部２０７へ出力される。その後、記録部２０７の動作により、チューナ部２０２から出力されるコンテンツデータが、ハードディスク２０９に記録される（ステップＳ１０８）。つまり、ステップＳ１０１において選択されたチャンネルのテレビ番組（即ち、カーナビゲーション装置１００において出力されているテレビ番組）が、ハードディスクレコーダ２００側においてハードディスク２０９に記録される。【０１３７】
このとき、再生部２０６の動作により、チューナ部２０２から出力されるコンテンツデータに対してデコーディング処理等が施されることで、選択されたチャンネルのテレビ番組がディスプレイ・スピーカ２０５に出力されるように構成してもよい。【０１３８】
続いて、本発明における「第１算出手段」の一具体例を構成するＣＰＵ２１２の制御の下に、記録部２０７によるコンテンツデータの記録が開始されてから所定時間（例えば、数秒、数十秒或いは数分）以上経過しているか否かが判定される（ステップＳ１０９）。【０１３９】
ステップ１０９における判定の結果、記録部２０７によるコンテンツデータの記録が開始されてから所定時間以上経過していると判定された場合には（ステップＳ１０９：Ｙｅｓ）、ステップＳ１１１へ進む。【０１４０】
他方、ステップ１０９における判定の結果、記録部２０７によるコンテンツデータの記録が開始されてから所定時間以上経過していないと判定された場合には（ステップＳ１０９：Ｎｏ）、続いて、ＣＰＵ２１２の制御の下に、カーナビゲーション装置１００から、記録されたコンテンツデータをハードディスクレコーダ２００からカーナビゲーション装置１００へ送信する旨の指示が、通信ネットワーク網３００を介して送信されてきたか否かが判定される（ステップＳ１１０）。記録されたコンテンツデータをハードディスクレコーダ２００からカーナビゲーション装置１００へ送信する旨の指示は、例えばユーザが操作部１１１を用いてその旨を指示する操作をした場合に、カーナビゲーション装置１００からハードディスクレコーダ２００へ送信されてもよい。【０１４１】
ステップＳ１１０における判定の結果、記録されたコンテンツデータをハードディスクレコーダ２００からカーナビゲーション装置１００へ送信する旨の指示が送信されていないと判定された場合には（ステップＳ１１０：Ｎｏ）、ステップＳ１０８へ戻る。【０１４２】
他方、ステップＳ１１０における判定の結果、記録されたコンテンツデータをハードディスクレコーダ２００からカーナビゲーション装置１００へ送信する旨の指示が送信されていると判定された場合には（ステップＳ１１０：Ｙｅｓ）、ＣＰＵ２１２の制御の下に、ハードディスク２０９に記録されたコンテンツデータの、ハードディスクレコーダ２００からカーナビゲーション装置１００への通信ネットワーク網３００を介した送信が開始される（ステップＳ１１１）。このとき、ハードディスク２０９に記録されたコンテンツデータは、記録が開始されたデータ部分から（つまり、記録されたコンテンツデータの頭から）カーナビゲーション装置１００に送信される。【０１４３】
尚、図４を用いた説明では、ハードディスク２０９に記録されたコンテンツデータの送信を開始するか否かを決定するために、ステップＳ１０９における判定と、ステップＳ１１０における判定との双方を行っている。しかしながら、ステップＳ１０９における判定のみが行われるように構成してもよいし、或いはステップＳ１１０における判定のみが行われるように構成してもよい。具体的には、例えば、記録部２０７によるコンテンツデータの記録が開始されてからの経過時間に関わらず、記録されたコンテンツデータを送信する旨の指示がなされるまでは、コンテンツデータの送信を開始しないように構成してもよい。或いは、記録されたコンテンツデータを送信する旨の指示の有無に関わらず、記録部２０７によるコンテンツデータの記録が開始されてから所定時間経過するまでは、コンテンツデータの送信を開始しないように構成してもよい。【０１４４】
以上、ステップＳ１０７からステップＳ１１１までの動作は、主としてカーナビゲーション装置１００側においてなされる。【０１４５】
続いて、ステップＳ１１１において送信が開始されたコンテンツデータは、通信ネットワーク部１０３の動作により、カーナビゲーション装置１００側で受信される（ステップＳ１１２）。【０１４６】
ステップＳ１１２において受信されたコンテンツデータは、受信バッファ１０４においてバッファリングされる。一定サイズのコンテンツデータが受信バッファ１０４にバッファリングされた後、ＣＰＵ１１２の制御の下に、受信バッファ１０４にバッファリングされたコンテンツデータの再生部１０６への出力が開始される。そして、再生部１０６は、放送用アンテナ１０１及びチューナ部１０２において受信されるコンテンツデータを用いることに代えて、受信バッファ１０４から出力されるコンテンツデータを用いて、テレビ番組のディスプレイ・スピーカ１０５への出力を開始する（ステップＳ１１３）。【０１４７】
ここで、再生源切替部１１４は、受信バッファ１０４に一定サイズのコンテンツデータがバッファリングされた後に、放送用アンテナ部１０１及びチューナ部１０２において受信されるコンテンツデータに代えて、受信バッファ１０４から出力されるコンテンツデータを用いてテレビ番組を再生するように、再生部１０６を制御する。【０１４８】
続いて、現在再生されているテレビ番組のチャンネルとは異なるチャンネルを選択するための操作がなされるか否かが判定される（ステップＳ１１４）。【０１４９】
ステップＳ１１４における判定の結果、異なるチャンネルを選択するための操作がなされたと判定された場合には（ステップＳ１１４：Ｙｅｓ）、ステップＳ１０２へ戻り、新たに選択されたチャンネルのテレビ番組に対して、ステップＳ１０２からステップＳ１１３までの動作が継続される。【０１５０】
他方、ステップＳ１１４における判定の結果、異なるチャンネルを選択するための操作がなされていないと判定された場合には（ステップＳ１１４：Ｎｏ）、続いて、テレビ番組の再生動作を終了するか否かが判定される（ステップＳ１１５）。例えば、ユーザが、操作部１１１を用いて、再生を終了するための操作を行ったか否かが判定される。【０１５１】
ステップＳ１１５における判定の結果、再生動作を終了しないと判定された場合には（ステップＳ１１５：Ｎｏ）、ステップＳ１１４へ戻り、ステップＳ１１４及びステップＳ１１５の動作が継続される。【０１５２】
他方、ステップＳ１１５における判定の結果、再生動作を終了すると判定された場合には（ステップＳ１１５：Ｙｅｓ）、再生動作を終了する。【０１５３】
尚、再生動作を終了する場合には、記録部２０７によるコンテンツデータのハードディスク２０９への記録動作の停止を指示する記録停止指示情報を含む制御情報が、制御情報生成部１１３の動作により生成されることが好ましい。生成された制御情報は、通信ネットワーク網３００を介してカーナビゲーション装置１００からハードディスクレコーダ２００へ送信される。この結果、受信された制御情報に含まれる記録停止指示情報に基づき、記録部２０７は、記録動作を停止する。【０１５４】
同様に、異なるチャンネルを選択するための操作がなされた場合も、ステップＳ１０４において、新たに選択されたチャンネル情報と共に、それまでに選択されていたチャンネルのコンテンツデータの記録動作の停止を指示する記録停止指示情報を含む制御情報が生成されることが好ましい。この結果、それまでに選択されていたチャンネルのコンテンツデータの記録動作が停止すると共に、新たに選択されるチャンネルのコンテンツデータの記録動作が開始される。【０１５５】
また、ステップＳ１０９からステップＳ１１３における動作が実行されている間は、記録を停止する旨の指示がなければ、ステップＳ１０８において開始されたコンテンツデータの記録動作は継続して実行されている。つまり、ステップＳ１０８において開始された記録動作と、ステップＳ１０９からステップＳ１１３における動作とは、並行して実行されている。【０１５６】
同様に、ステップＳ１１４からステップＳ１１５における動作が実行されている間は、再生を停止する旨の指示がなければ、ステップＳ１１３において開始されたコンテンツデータの再生動作は継続して実行されている。つまり、ステップＳ１１３において開始された再生動作と、ステップＳ１１４からステップＳ１１５における動作とは、並行して実行されている。【０１５７】
以上説明したように、本実施例に係る再生システム１によれば、放送用アンテナ１０１及びチューナ部１０２において受信されるコンテンツデータを用いてテレビ番組を再生する再生動作と、自宅等に設置されたハードディスクレコーダ２００から通信ネットワーク網３００を介して送信されるコンテンツデータを用いてテレビ番組を再生する再生動作とを、適宜切り替えて実行することができる。【０１５８】
このため、カーナビゲーション装置１００における放送電波４１０の受信状況が悪化する場合（例えば、放送電波４１０を受信することができない場合等であって、具体的には、例えばカーナビゲーション装置１００を搭載する車両がトンネルに入った場合等）には、ハードディスクレコーダ２００から通信ネットワーク網３００を介して送信されるコンテンツデータを用いることで、テレビ番組の再生動作を継続することができる。つまり、放送電波４１０の受信状況が悪化する場合であっても、放送回線とは異なる通信ネットワーク網３００を介して、選択されたチャンネルのコンテンツデータを受信することができる。これにより、放送電波４１０の受信状況が悪化する場合であっても、ユーザは、カーナビゲーション装置１００を用いて、カーナビゲーション装置１００において選択されたチャンネルのテレビ番組を視聴し続けることができる。【０１５９】
更に、ハードディスクレコーダ２００から通信ネットワーク網３００を介して送信されるコンテンツデータは、受信バッファ１０４に一時的にバッファリングされた後に、再生部１０６へ出力される。バッファリングされるコンテンツデータのサイズは、例えば、数分間の（例えば、２分間等の）コンテンツデータの再生を可能とする程度のサイズであることが好ましい。これにより、例えばカーナビゲーション装置１００を搭載する車両がトンネル等に入ることによって、放送電波４１０の受信状況のみならず、通信ネットワーク網３００の通信状況が悪化した場合であっても、受信バッファ１０４にバッファリングされたコンテンツデータを用いて、テレビ番組を視聴し続けることができる。【０１６０】
また、カーナビゲーション装置１００において選択されたチャンネルのコンテンツデータは、ハードディスクレコーダ２００のハードディスク２０９に記録されている。このため、通信ネットワーク網３００の通信状況が悪化することで、ハードディスクレコーダ２００からカーナビゲーション装置１００へのコンテンツデータの送信が途切れる状況が発生しても、通信ネットワーク網３００の通信状況が良好になった後に、ハードディスク２０９に記録されているコンテンツデータを改めて送信することができる。これにより、選択されたチャンネルのテレビ番組の一部をユーザが見逃す不都合を防止する或いは全くなくすことにつながる。例えば、通信ネットワーク網３００の通信状況の悪化によって、ニュース番組の一部のニュースを見逃した場合であっても、通信ネットワーク網３００の通信状況が良好になった後に、改めてコンテンツデータを送信すれば、該見逃した一部のニュースを視聴することができる。従って、ユーザは、所望のチャンネルのテレビ番組を好適に視聴することができる。【０１６１】
このように、本実施例に係る再生システム１によれば、例えば車両等の移動体に搭載されるカーナビゲーション装置１００を用いてテレビ番組を視聴する場合であっても、該テレビ番組を極力見逃すことのない良好な視聴環境を実現することができる。【０１６２】
尚、上述の実施例では、異なるチャンネルを選択するための操作が、所定時間以上ユーザによりなされていない場合に、制御情報が生成され且つハードディスクレコーダ２００へ送信される。これにより、チャンネルを頻繁に変更する、いわゆるザッピングが行われている際には、制御情報を逐次生成する必要がなくなる。【０１６３】
また、カーナビゲーション装置１００における放送電波４１０の受信状況が良好である場合には、該放送電波４１０を受信すれば、テレビ番組の再生動作を継続することができる。このとき、通信ネットワーク網３００を介したコンテンツデータの受信は必ずしも実行されていなくともよい。これにより、通信ネットワーク網３００の負荷を軽減しつつも（或いは、通信費を削減しつつも）、カーナビゲーション装置１００において選択されたチャンネルのコンテンツデータを視聴し続けることができる。【０１６４】
加えて、通信ネットワーク網３００を介してコンテンツデータを送受信する際に、例えばＴＣＰ（Transmission Control protocol）等のＱｏＳ（Quality of Service）が確保される通信フォーマットないしは通信プロトコルを用いてもよい。これにより、通信ネットワーク網３００を介したコンテンツデータの送受信の際に、コンテンツデータの一部が欠損する不都合を防止することができる。その結果、テレビ番組を極力見逃すことのない良好な視聴環境を実現することができる。但し、Ｑｏｓが確保された通信フォーマットないしは通信プロトコルを用いなくともよい。【０１６５】
尚、制御情報中に、ハードディスクレコーダ２００における、(i)チャンネル情報により示されるコンテンツデータの記録の開始（或いは、記録の開始のタイミング等）を指示する記録開始指示情報、(ii)チャンネル情報により示されるコンテンツデータの記録の停止（或いは、記録の停止のタイミング等）を指示する記録開始指示情報、及び(iii)ハードディスクレコーダ２００からカーナビゲーション装置１００への、記録されたコンテンツデータの通信ネットワーク網３００を介した送信（或いは、送信の開始或いは停止のタイミング等）を指示する送信指示情報が含まれていてもよい。記録開始指示情報や記録停止指示情報や送信指示情報が制御情報に含まれている場合には、制御情報に基づいて、コンテンツデータの記録を開始したり、コンテンツデータの記録を停止したり、コンテンツデータのカーナビゲーション装置１００への送信を開始したり、コンテンツデータのカーナビゲーション装置１００への送信を停止するように構成することが好ましい。【０１６６】
尚、上述の実施例では、テレビ番組を再生するカーナビゲーション装置１００について説明を進めたが、テレビ番組以外の各種映像或いは各種音楽を再生するカーナビゲーション装置１００であっても、同様の構成及び動作を採用することで、上述した各種利益を享受することができることは言うまでもない。【０１６７】
（３）  再生タイミング
続いて、図５から図９を参照して、ハードディスクレコーダ２００からカーナビゲーション装置１００へのコンテンツデータの送信のタイミング及び受信されコンテンツデータのカーナビゲーション装置１００における再生のタイミングについて説明する。ここに、図５は、ハードディスクレコーダ２００からカーナビゲーション装置１００へのコンテンツデータの送信のタイミング及び受信されたコンテンツデータのカーナビゲーション装置１００における再生のタイミングの第１の例を示すタイミングチャートであり、図６は、ハードディスクレコーダ２００からカーナビゲーション装置１００へのコンテンツデータの送信のタイミング及び受信されたコンテンツデータのカーナビゲーション装置１００における再生のタイミングの第２の例を示すタイミングチャートであり、図７は、ハードディスクレコーダ２００からカーナビゲーション装置１００へのコンテンツデータの送信のタイミング及び受信されたコンテンツデータのカーナビゲーション装置１００における再生のタイミングの第３の例を示すタイミングチャートであり、図８は、ハードディスクレコーダ２００からカーナビゲーション装置１００へのコンテンツデータの送信のタイミング及び受信されたコンテンツデータのカーナビゲーション装置１００における再生のタイミングの第４の例を示すタイミングチャートであり、図９は、ハードディスクレコーダ２００からカーナビゲーション装置１００へのコンテンツデータの送信のタイミング及び受信されたコンテンツデータのカーナビゲーション装置１００における再生のタイミングの第５の例を示すタイミングチャートである。【０１６８】
図５の１段目には、放送用アンテナ１０１及びチューナ部１０２において受信される放送電波４１０を用いてテレビ番組を再生する際の、テレビ番組の再生タイミングが示される。この再生タイミングは、放送局４００からテレビ番組が放送されるタイミングと概ね同一である。また、この再生タイミングは、ハードディスクレコーダ２００においてコンテンツデータが記録されるタイミングと概ね同一である。【０１６９】
図５の２段目には、ハードディスクレコーダ２００からカーナビゲーション装置１００への通信ネットワーク網３００を介したコンテンツデータの送信のタイミングが示される。コンテンツデータの送信は、ハードディスクレコーダ２００において、コンテンツデータの記録を開始してから所定時間以上経過した後に開始される（図４のステップＳ１０９参照）。或いは、通信ネットワーク網３００の通信状況が悪化している場合であれば、通信状況の悪化を十分に回避することができる時間の経過後に、コンテンツデータの送信を開始するように構成してもよい。このため、ハードディスクレコーダ２００からカーナビゲーション装置１００への通信ネットワーク網３００を介したコンテンツデータの送信のタイミングは、放送用アンテナ１０１及びチューナ部１０２において受信される放送電波４１０を用いてテレビ番組を再生する際のテレビ番組の再生タイミングと比較して、若干の遅れを有している。【０１７０】
尚、記録されたコンテンツデータをハードディスクレコーダ２００からカーナビゲーション装置１００へ送信する旨の指示があった場合にも、ハードディスクレコーダ２００からカーナビゲーション装置１００への通信ネットワーク網３００を介したコンテンツデータの送信を開始してもよいことは、上述のとおりである（図４のステップＳ１１０参照）。【０１７１】
図５の３段目には、通信ネットワーク網３００を介して送信されるコンテンツデータを用いてテレビ番組を再生する際の、テレビ番組の再生タイミングが示される。カーナビゲーション装置１００においては、所定サイズ以上のコンテンツデータが受信バッファ１０４にバッファリングされた後に再生が開始される。このため、通信ネットワーク網３００を介して送信されるコンテンツデータを用いてテレビ番組を再生する際のテレビ番組の再生タイミングは、ハードディスクレコーダ２００からカーナビゲーション装置１００への通信ネットワーク網３００を介したコンテンツデータの送信のタイミングと比較して、若干の遅れを有している。【０１７２】
その結果、通信ネットワーク網３００を介して送信されるコンテンツデータを用いてテレビ番組を再生する際のテレビ番組の再生タイミングは、放送用アンテナ１０１及びチューナ部１０２において受信される放送電波４１０を用いてテレビ番組を再生する際のテレビ番組の再生タイミングと比較して、若干の遅れを有している。つまり、通信ネットワーク網３００を介して送信されるコンテンツデータを用いてテレビ番組を再生する際には、いわゆるタイムシフト再生（言い換えれば、追っかけ再生）が行われている。【０１７３】
このとき、この再生タイミングのずれに起因して、ディスプレイ・スピーカ１０５には、一部重複する番組が出力される。具体的には、番組Ａの冒頭部分が、放送用アンテナ１０１及びチューナ部１０２において受信される放送電波４１０を用いて放送された後、該番組Ａの冒頭部分が、通信ネットワーク網３００を介して送信されるコンテンツデータを用いて重複的に出力される。【０１７４】
このように、図５に示すように、単に所定サイズ以上のコンテンツデータが受信バッファ１０４にバッファリングされた後に、通信ネットワーク網３００を介して送信されるコンテンツデータを用いたテレビ番組の再生を開始するのみでは、ディスプレイ・スピーカ１０５に出力される映像及び音声が突然或いは不自然に切り替わりかねない。【０１７５】
このため、図６に示すように、テレビ番組に含まれるＣＭが再生されているときに、放送用アンテナ部１０１及びチューナ部１０２において受信された放送信号を用いたテレビ番組の再生動作から、通信ネットワーク網３００を介してハードディスクレコーダ２００から送信されるコンテンツデータを用いたテレビ番組の再生動作に切り替えることが好ましい。この場合、通信ネットワーク網３００を介して送信されるコンテンツデータを用いたテレビ番組の再生が開始されるまで（即ち、ＣＭが再生されるタイミングになるまでは）、通信ネットワーク網３００を介して送信されるコンテンツデータは、受信バッファ１０４にバッファリングされることが好ましい。受信バッファ１０４のバッファリング容量を超えるサイズのコンテンツデータについては、例えばＦＩＦＯ（First In First Out）方式等により廃棄することが好ましい。【０１７６】
このとき、再生されるテレビ番組中のいずれの部分がＣＭであるかを、番組解析部１１５が認識する必要がある。具体的には、ＣＭであることを示す識別データがコンテンツデータ中に含まれていれば、該識別データを検出することで、再生されるテレビ番組中のいずれの部分がＣＭであるかを認識することが好ましい。また、ＣＭは概ねステレオ音声であり、ＣＭでない番組は概ねモノラル音声であることを考慮して、再生されるテレビ番組中のいずれの部分がＣＭであるかを認識するように構成してもよい。【０１７７】
他方、カーナビゲーション装置２００に代えて、ハードディスクレコーダ２００が番組解析部１１５を備えていれば、ハードディスクレコーダ２００側で、再生されるテレビ番組中のいずれの部分がＣＭであるかを認識してもよい。つまり、ハードディスクレコーダ２００側で、再生動作の切り替えのタイミングを制御する（言い換えれば、再生源切替部１１５の動作を制御する）ように構成してもよい。この場合、図７に示すように、ＣＭが再生されるタイミングで、通信ネットワーク網３００を介したコンテンツデータの送信を開始してもよい。特に、ＣＭのデータ部分から、コンテンツデータの送信を開始することが好ましい。そして、放送用アンテナ部１０１及びチューナ部１０２において受信された放送信号を用いたテレビ番組の再生動作により再生されるＣＭ（例えば、ＣＭ１）が終了するタイミングで、通信ネットワーク網３００を介してハードディスクレコーダ２００から送信されるコンテンツデータを用いたテレビ番組の再生動作により再生されるＣＭ（例えば、ＣＭ１）の再生が開始されることが好ましい。【０１７８】
これにより、ディスプレイ・スピーカ１０５に出力される映像及び音声が突然或いは不自然に切り替わるという不都合を、極力排除することができる。【０１７９】
尚、ハードディスク２００に記録されたコンテンツデータは、記録が開始されたデータ部分から（つまり、記録されたコンテンツデータの頭から）カーナビゲーション装置１００に送信されなくともよい。例えば、図８に示すように、番組Ａ１の頭からハードディスク２０９に記録された場合であっても、番組Ａ１の途中から、コンテンツデータの送信を開始してもよい。言い換えれば、ハードディスク２０９に記録されたコンテンツデータの任意のデータ部分から、送信を開始するように構成してもよい。【０１８０】
図９に示すように、ハードディスクレコーダ２００において、コンテンツデータの記録を開始してから所定時間経過する前にコンテンツデータの送信を開始してもよい。例えば、コンテンツデータの記録を開始すると同時に、コンテンツデータの送信を開始してもよい。同様に、カーナビゲーション装置１００において、所定サイズ以上のコンテンツデータを受信バッファ１０４にバッファリングする前に、通信ネットワーク網３００を介して送信されるコンテンツデータの再生を開始してもよい。例えば、通信ネットワーク網３００を介してコンテンツデータが送信されてくると同時に、該送信されるコンテンツデータを再生してもよい。これにより、理想的には、通信ネットワーク網３００を介して送信されるコンテンツデータを用いてテレビ番組を再生する際のテレビ番組の再生タイミングと、放送用アンテナ１０１及びチューナ部１０２において受信される放送電波４１０を用いてテレビ番組を再生する際のテレビ番組の再生タイミングとの間の時間的な遅れを、極力少なくすることができる。具体的には、例えば、コンテンツデータの記録及び送信に伴うハードディスクレコーダ２００の内部のデータ処理に起因する遅延時間、コンテンツデータの送信に伴う通信ネットワーク網３００内での遅延時間、並びにコンテンツデータの受信及び再生に伴うカーナビゲーション装置１００の内部のデータ処理に起因する遅延時間が相対的に無視できる程度に小さければ、通信ネットワーク網３００を介して送信されるコンテンツデータを用いてテレビ番組を再生する際のテレビ番組の再生タイミングと、放送用アンテナ１０１及びチューナ部１０２において受信される放送電波４１０を用いてテレビ番組を再生する際のテレビ番組の再生タイミングとの間の時間的な遅れを、極力少なくすることができる。【０１８１】
（４）  第２動作例
続いて、図１０から図１２を参照して、本実施例に係る再生システム１の第２動作例について説明する。ここに、図１０は、本実施例に係る再生システム１の第２動作例の流れを概念的に示すフローチャートであり、図１１は、ハードディスクレコーダ２００からカーナビゲーション装置１００へのコンテンツデータの送信のタイミング及び受信されたコンテンツデータのカーナビゲーション装置１００における再生のタイミングの第６の例を示すタイミングチャートであり、図１２は、本実施例に係る再生システム１の第２動作例の他の流れを概念的に示すフローチャートである。【０１８２】
尚、図１から図９における説明時と同一の構成及び動作には、同一の参照符号及びステップ番号を付与して、その詳細な説明については省略する。【０１８３】
図１０に示すように、第２動作例においても、上述した第１動作例と同様に、ステップＳ１０１からステップＳ１０８までの動作が行われる。【０１８４】
第２動作例では特に、記録部２０７の動作によりコンテンツデータのハードディスク２０９への記録が開始された後に、カーナビゲーション装置１００側において、ＧＰＳ受信部１０７の動作によりカーナビゲーション装置１００が搭載される車両の現在位置が検出される（ステップＳ２０１）。この結果、ＧＰＳ受信部１０７から候補位置予測部１１７へ、検出された現在位置を示す現在位置情報が出力される。【０１８５】
続いて、候補位置予測部１１７の動作により、ＧＰＳ受信部１０７において検出される自車の現在位置、センサ部１０８において検出される移動情報及び自車のこれまでの移動の傾向（具体的には、例えば、移動の方向や、移動速度等の傾向等）に基づいて、将来（例えば、数秒後、数分後又は数時間後等）に自車が存在していると予測される位置（以降、適宜“候補位置”と称する）が予測される（ステップＳ２０２）。ここでは、複数の候補位置が予測されることが好ましいが、一つの候補位置が予測されてもよい。【０１８６】
その後、本発明における「判定手段」の一具体例を構成するＣＰＵ１１２の動作により、ステップＳ２０２において予測された候補位置の少なくとも一つにおいて、放送用アンテナ１０１を用いて放送電波４１０を受信することができない障害が発生するか否かが判定される（ステップＳ２０３）。言い換えれば、ステップＳ２０２において予測された候補位置の少なくとも一つにおいて、カーナビゲーション装置１００における放送電波４１０の受信状況が悪化するか否かが判定される。例えば、候補位置の少なくとも一つがトンネル内であったり、候補位置の少なくとも一つが地下或いは建物内であったり、或いは候補位置の少なくとも一つが高層ビルのひしめく繁華街であったりした場合には、障害が発生すると判定されてもよい。他方、候補位置の夫々がひらけた場所である場合には、障害が発生しないと判定されてもよい。【０１８７】
このとき、例えばハードディスク１０９中に予め記録されている放送電波受信資料に基づいて、上記判定を行うように構成してもよい。放送電波受信資料は、地球上の複数の位置の通信環境を特定するために役立つ資料である。放送電波受信資料は、例えばデジタルデータとしてハードディスク１０９に記録されている。放送電波受信資料は、理想的には、地上、地下、海上、海中または空中など、人間が活動している圏内のあらゆる場所における放送電波４１０の受信状況を特定することができる資料であることが好ましい。しかし、放送電波受信資料は、例えばアジア地域、日本国内または東京都内などの地上および地下における放送電波４１０の受信状況を特定することができる資料であってもよい。【０１８８】
具体的には、放送電波受信資料は、地球上の複数の位置における放送電波４１０の受信状況の良さまたは悪さについての評価を予め記述したデータである。例えば、日本国内の地上および地下を１００メートル四方の領域に分割する。そして、各領域の地形的特徴または地理的特徴を分析し、または実際に各領域に行って調査を行い、各領域における放送電波４１０の受信状況の良さまたは悪さを評価する。そして、評価の結果を領域ごとに記録したデータを作成する。このようなデータを放送電波受信資料として用いる。なお、分割領域の大きさは、１００メートル四方に限られず、カーナビゲーション装置１００の移動の態様（自動車か歩行かなど）、または要求される予測精度などによって適宜決めることができる。また、放送電波４１０の受信状況の評価の段階は、「良い」、「悪い」の２段階でもよいし、「きわめて良い」、「良い」、「普通」、「悪い」、「きわめて悪い」の５段階でもよい。【０１８９】
また、放送電波受信資料は、地球上の複数の位置における地形的特徴または地理的特徴を予め記述したデータであってもよい。例えば、放送電波受信資料は、日本国内の地上および地下を１００メートル四方の領域に分割し、各領域が地上、地下、ビルの谷間、アーケード内、トンネル内、高架下、山の上または平地などである旨を示すデータであってもよい。例えば、ある領域が地上、山の上または平地である場合には放送電波４１０の受信状況が良い。一方、当該領域がビルの谷間、アーケード内、高架下またはトンネル内である場合には放送電波４１０の受信状況が悪い。このように、ある領域の地形的特徴または地理的特徴を知ることができれば、当該領域内の位置における放送電波４１０の受信状況を特定することができる。【０１９０】
また、放送電波受信資料は、地図情報であってもよい。地図上には、地上の道路の位置、地下道の位置、アーケードの位置およびトンネルの位置などが記録されている。したがって、地図情報を参照すれば、ある位置が地上の道路か、トンネル内か、などを知ることができる。そして、当該位置が開けた地上の道路であれば放送電波４１０の受信状況が良く、一方、当該位置がトンネル内であれば放送電波４１０の受信状況が悪い。このように、地図情報を参照することによって、ある位置における放送電波４１０の受信状況を特定することができる。【０１９１】
ステップＳ２０３における判定の結果、予測された候補位置の夫々において障害が発生しない（言い換えれば、放送電波４１０の受信状況が悪化しない）と判定された場合には（ステップＳ２０３：Ｎｏ）、ステップＳ２０１へ戻り、ステップＳ２０１からステップＳ２０３の動作を繰り返す。【０１９２】
他方、ステップＳ２０３における判定の結果、予測された候補位置の少なくとも一つにおいて障害が発生し得る（言い換えれば、放送電波４１０の受信状況が悪化し得る）と判定された場合には（ステップＳ２０３：Ｙｅｓ）、カーナビゲーション装置１００からハードディスクレコーダ２００に対して、ハードディスク２０９に記録されたコンテンツデータの送信の開始を指示する送信指示情報（言い換えれば、が送信される（ステップＳ２０４）。【０１９３】
ステップＳ２０４において送信された送信指示情報は、ハードディスクレコーダ２００において受信され、ハードディスク２０９に記録されたコンテンツデータの、ハードディスクレコーダ２００からカーナビゲーション装置１００への送信が開始されるステップＳ１１１）。【０１９４】
その後、カーナビゲーション装置１００側においては、第１動作例と同様に、ステップＳ１１２からステップＳ１１５までの動作が行われる。【０１９５】
図１０における各種動作のタイミングは、図１１のタイミングチャートにて示される。図１１に示すように、初めは、放送用アンテナ１０１及びチューナ部１０２において受信される放送電波４１０を用いて、テレビ番組が再生されている。【０１９６】
その後、予測される候補位置の少なくとも一つにおいて障害が発生し得ると判定された場合には、コンテンツデータの送信の開始を指示する送信指示情報が、カーナビゲーション装置１００からハードディスクレコーダ２００へ送信される。これにより、ハードディスクレコーダ２００からカーナビゲーション装置１００への、通信ネットワーク網３００を介したコンテンツデータの送信が開始される。【０１９７】
その後、カーナビゲーション装置１００側では、受信バッファ１０４に一定サイズのコンテンツデータがバッファリングされた後に、放送用アンテナ１０１及びチューナ部１０２において受信される放送電波４１０を用いたテレビ番組の再生動作から、通信ネットワーク網３００を介して送信されるコンテンツデータを用いたテレビ番組の再生動作へと切り替えられる。【０１９８】
これにより、第１動作例が享受する各種利益と同様の利益を、第２動作例においても享受することができる。【０１９９】
特に、第２動作例においては、ＧＰＳを利用して、予め放送電波４１０の受信状況が悪化するか否かを判定している。このため、カーナビゲーション装置１００においてテレビ番組を視聴することができない状況が発生しない好適なタイミングで、ハードディスクレコーダ２００からカーナビゲーション装置１００へコンテンツデータを送信することができる。【０２００】
尚、図１１に示す第２動作例では、予測される候補位置において放送電波４１０の受信状況が悪化し得ると判定された場合に、ハードディスクレコーダ２００からカーナビゲーション装置１００へのコンテンツデータの送信を開始する指示を送信している。しかしながら、図１２に示すように、予測される候補位置において放送電波４１０の受信状況が悪化し得ると判定された場合に、ハードディスクレコーダ２００においてコンテンツデータの記録を開始する指示を送信するように構成してもよい。【０２０１】
また、上述の実施例では、放送用アンテナ部１０１及びチューナ部１０２において受信された放送信号を用いたテレビ番組の再生動作から、通信ネットワーク網３００を介してハードディスクレコーダ２００から送信されるコンテンツデータを用いたテレビ番組の再生動作に切り替える動作を主に説明している。【０２０２】
他方、通信ネットワーク網３００を介してハードディスクレコーダ２００から送信されるコンテンツデータを用いたテレビ番組の再生動作から、放送用アンテナ部１０１及びチューナ部１０２において受信された放送信号を用いたテレビ番組の再生動作への切り替えは、例えば通信ネットワーク網３００の通信状況が悪化した場合や、カーナビゲーション装置１００における放送電波４１０の受信状況が良好である場合に行われてもよい。【０２０３】
本発明は、上述した実施例に限られるものではなく、請求の範囲及び明細書全体から読み取れる発明の要旨或いは思想に反しない範囲で適宜変更可能であり、そのような変更を伴なう再生システム及び再生方法、移動型再生装置、記録装置、並びにコンピュータプログラムもまた本発明の技術的範囲に含まれるものである。
【産業上の利用可能性】
【０２０４】
本発明に係る再生システム及び再生方法、移動型再生装置、記録装置、並びにコンピュータプログラムは、主に移動無線網を介して接続された移動型再生装置と記録装置との間で通信を行い、記録装置から移動型再生装置へ情報を転送し、移動型再生装置においてこの情報を再生することができる再生システム及び再生方法、当該再生システムに用いられる移動型再生装置及び記録装置に利用可能である。また、例えば民生用或いは業務用の各種コンピュータ機器に搭載される又は各種コンピュータ機器に接続可能な再生システム、移動型再生装置、記録装置等にも利用可能である。
【図１】
2007111299.tif 000003
【図２】
2007111299.tif 000004
【図３】
2007111299.tif 000005
【図４】
2007111299.tif 000006
【図５】
2007111299.tif 000007
【図６】
2007111299.tif 000008
【図７】
2007111299.tif 000009
【図８】
2007111299.tif 000010
【図９】
2007111299.tif 000011
【図１０】
2007111299.tif 000012
【図１１】
2007111299.tif 000013
【図１２】
2007111299.tif 000014
【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
放送局より放送回線を介して放送される複数のチャンネルのコンテンツデータを受信すると共に再生する移動型再生装置と、前記放送局より前記放送回線を介して放送される前記複数のチャンネルのコンテンツデータを受信すると共に記録する記録装置を備える再生システムであって、
前記移動型再生装置は、
前記放送回線を介して放送される前記複数のチャンネルのコンテンツデータのうち所望のチャンネルのコンテンツデータを受信する第１受信手段と、
前記記録装置が前記所望のチャンネルのコンテンツデータを不足なく前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
（ｉ）前記第１受信手段により受信される前記所望のチャンネルのコンテンツデータの再生である第１再生動作と、（ｉｉ）前記第２受信手段により受信される前記所望のチャンネルのコンテンツデータの再生である第２再生動作とを切り替えるように前記再生手段を制御する制御手段と
を備え、
前記記録装置は、
前記移動型再生装置から前記通信回線を介して送信される前記制御情報を受信する第３受信手段と、
前記放送回線を介して放送される前記複数のチャンネルのコンテンツデータを受信する第４受信手段と、
前記制御情報に基づいて、前記第４受信手段により受信される複数のチャンネルのコンテンツデータのうち前記所望のチャンネルのコンテンツデータを記録する記録手段と、
前記記録手段により記録される前記所望のチャンネルのコンテンツデータを、前記通信回線を介して前記移動型再生装置に送信する第２送信手段と
を備えることを特徴とする再生システム。
【請求項２】
前記制御手段は、前記第２受信手段により前記所望のチャンネルのコンテンツデータが受信されている場合、前記第２再生動作へ切り替えるように前記再生手段を制御することを特徴とする請求の範囲第１項に記載の再生システム。
【請求項３】
前記制御手段は、前記第２受信手段により受信される前記所望のチャンネルのコンテンツデータを前記再生手段が再生可能な状況になった後に、前記第２再生動作へ切り替えるように前記再生手段を制御することを特徴とする請求の範囲第１項に記載の再生システム。
【請求項４】
前記移動型再生装置は、前記記録装置から前記通信回線を介して送信される前記所望のチャンネルのコンテンツデータを一時的に蓄積するバッファリング手段を更に備え、
前記制御手段は、前記第２受信手段により受信される前記所望のチャンネルのコンテンツデータが、所定サイズ以上前記バッファリング手段に蓄積された後に、前記第２再生動作へ切り替えるように前記再生手段を制御することを特徴とする請求の範囲第１項に記載の再生システム。
【請求項５】
前記複数のチャンネルのコンテンツデータの少なくとも一つは、前記コンテンツデータの再生時間軸に沿って離散的に又は周期的に分布するコマーシャルデータを含んでおり、
前記制御手段は、前記第１再生動作により前記コマーシャルデータが再生されている間に、前記第２再生動作へ切り替え且つ前記コマーシャルデータから再生が開始されるように前記再生手段を制御することを特徴とする請求の範囲第１項に記載の再生システム。
【請求項６】
前記記録装置は、前記記録手段による前記所望のチャンネルのコンテンツデータの記録が開始されてからの経過時間を算出する第１算出手段を更に備え、
前記第２送信手段は、前記第１算出手段により算出される経過時間が所定の第１閾値を超えた後に、前記記録手段により記録される前記所望のチャンネルのコンテンツデータの送信を開始することを特徴とする請求の範囲第１項に記載の再生システム。
【請求項７】
前記移動型再生装置は、
前記移動型再生装置の現在位置を検出する検出手段と、
前記検出手段により検出される前記現在位置及び地図情報に基づいて、前記移動型再生装置が将来移動する可能性のある複数の候補位置を予測する予測手段と、
前記複数の候補位置の夫々において、前記放送回線を介して放送される前記所望のチャンネルのコンテンツデータを前記第１受信手段が受信することができるか否かを判定する判定手段と
を更に備え、
前記第２送信手段は、前記判定手段により、前記放送回線を介して放送される前記所望のチャンネルのコンテンツデータを前記第１受信手段が受信することができないと判定された場合に、前記記録手段により記録される前記所望のチャンネルのコンテンツデータの送信を開始することを特徴とする請求の範囲第１項に記載の再生システム。
【請求項８】
前記複数のチャンネルのコンテンツデータの少なくとも一つは、前記コンテンツデータの再生時間軸に沿って離散的に又は周期的に分布するコマーシャルデータを含んでおり、
前記第２送信手段は、前記コマーシャルデータが前記記録手段により記録された後に、前記記録手段により記録される前記コマーシャルデータを始点として、前記記録手段により記録される前記所望のチャンネルのコンテンツデータの送信を開始することを特徴とする請求の範囲第１項に記載の再生システム。
【請求項９】
前記第２送信手段は、前記第１再生動作により前記コマーシャルデータが再生されている間に、前記記録手段により記録される前記コマーシャルデータを始点として、前記記録手段により記録される前記所望のチャンネルのコンテンツデータの送信を開始し、
前記制御手段は、前記第１再生動作により前記コマーシャルデータが再生されている間に、前記第２再生動作へ切り替え且つ前記コマーシャルデータから再生が開始されるように前記再生手段を制御することを特徴とする請求の範囲第８項に記載の再生システム。
【請求項１０】
前記移動型再生装置は、前記複数のチャンネルのコンテンツデータに対するチャンネル選択が行われてからの経過時間を算出する第２算出手段を更に備え、
前記第１送信手段は、前記第２算出手段により算出される経過時間が所定の第２閾値を超えた後に、前記制御情報を送信することを特徴とする請求の範囲第１項に記載の再生システム。
【請求項１１】
前記移動型再生装置は、
前記移動型再生装置の現在位置を検出する検出手段と、
前記検出手段により検出される前記現在位置及び地図情報に基づいて、前記移動型再生装置が将来移動する可能性のある複数の候補位置を予測する予測手段と、
前記複数の候補位置の夫々において、前記放送回線を介して放送される前記所望のチャンネルのコンテンツデータを前記第１受信手段が受信することができるか否かを判定する判定手段と
を更に備え、
前記第１送信手段は、前記判定手段により、前記放送回線を介して放送される前記所望のチャンネルのコンテンツデータを前記第１受信手段が受信することができないと判定きれた場合に、前記制御情報を、前記通信回線を介して前記記録装置に送信することを特徴とする請求の範囲第１項に記載の再生システム。
【請求項１２】
前記移動型再生装置は、前記記録装置から前記通信回線を介して送信される前記所望のチャンネルのコンテンツデータを一時的に蓄積するバッファリング手段を更に備えることを特徴とする請求の範囲第１項に記載の再生システム。
【請求項１３】
放送局より放送回線を介して放送される複数のチャンネルのコンテンツデータを受信すると共に再生する移動型再生装置と、前記放送局より前記放送回線を介して放送される前記複数のチャンネルのコンテンツデータを格納する記録装置を備える再生システムであって、
前記移動型再生装置は、
前記放送回線を介して放送される前記複数のチャンネルのコンテンツデータのうち所望のチャンネルのコンテンツデータを受信する第１受信手段と、
前記記録装置が前記所望のチャンネルのコンテンツデータを不足なく前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
（ｉ）前記第１受信手段により受信される前記所望のチャンネルのコンテンツデータの再生である第１再生動作と、（ｉｉ）前記第２受信手段により受信される前記所望のチャンネルのコンテンツデータの再生である第２再生動作とを切り替えるように前記再生手段を制御する制御手段と
を備え、
前記記録装置は、
前記移動型再生装置から前記通信回線を介して送信される前記制御情報を受信する第３受信手段と、
前記放送回線を介して放送される前記複数のチャンネルのコンテンツデータを格納する格納手段と、
前記制御情報に基づいて、前記格納手段により格納される前記所望のチャンネルのコンテンツデータを、前記通信回線を介して前記移動型再生装置に送信する第２送信手段と
を備えることを特徴とする再生システム。
【請求項１４】
放送局より放送回線を介して放送される複数のチャンネルのコンテンツデータを受信すると共に格納する移動型再生装置と、前記放送局より前記放送回線を介して放送される前記複数のチャンネルのコンテンツデータを受信すると共に記録する記録装置を備える再生システムにおける再生方法であって、
前記放送回線を介して放送される前記複数のチャンネルのコンテンツデータを前記移動型再生装置において受信する第１受信工程と、
前記記録装置が前記所望のチャンネルのコンテンツデータを不足なく前記移動型再生装置に送信するために必要な制御情報を、通信回線を介して前記記録装置に送信する第１送信工程と、
前記記録装置から前記通信回線を介して送信される前記所望のチャンネルのコンテンツデータを受信する第２受信工程と、
前記第１受信工程及び前記第２受信工程の少なくとも一方において受信される前記所望のチャンネルのコンテンツデータを再生する再生工程と、
（ｉ）前記第１受信手段により受信される前記所望のチャンネルのコンテンツデータの再生である第１再生動作と、（ｉｉ）前記第２受信手段により受信される前記所望のチャンネルのコンテンツデータの再生である第２再生動作とを切り替える制御工程と、
前記移動型再生装置から前記通信回線を介して送信される前記制御情報を受信する第３受信工程と、
前記放送回線を介して放送される前記複数のチャンネルのコンテンツデータを前記記録装置において受信する第４受信工程と、
前記制御情報に基づいて、前記第３受信工程において受信される複数のチャンネルのコンテンツデータのうち前記所望のチャンネルのコンテンツデータを記録する記録工程と、
前記記録工程において記録される前記所望のチャンネルのコンテンツデータを、前記通信回線を介して前記移動型再生装置に送信する第２送信工程と
を備えることを特徴とする再生方法。
【請求項１５】
放送局より放送回線を介して放送される複数のチャンネルのコンテンツデータを受信すると共に再生する移動型再生装置と、前記放送局より前記放送回線を介して放送される前記複数のチャンネルのコンテンツデータを格納する記録装置を備える再生システムにおける再生方法であって、
前記放送回線を介して放送される前記複数のチャンネルのコンテンツデータのうち所望のチャンネルのコンテンツデータを受信する第１受信工程と、
前記記録装置が前記所望のチャンネルのコンテンツデータを不足なく前記移動型再生装置に送信するために必要な制御情報を、通信回線を介して前記記録装置に送信する第１送信工程と、
前記記録装置から前記通信回線を介して送信される前記所望のチャンネルのコンテンツデータを受信する第２受信工程と、
前記第１受信工程及び前記第２受信工程の少なくとも一方において受信される前記所望のチャンネルのコンテンツデータを再生する再生工程と、
（ｉ）前記第１受信手段により受信される前記所望のチャンネルのコンテンツデータの再生である第１再生動作と、（ｉｉ）前記第２受信手段により受信される前記所望のチャンネルのコンテンツデータの再生である第２再生動作とを切り替える制御工程と、
前記移動型再生装置から前記通信回線を介して送信される前記制御情報を受信する第３受信工程と、
前記記録装置に格納される前記所望のチャンネルのコンテンツデータを、前記通信回線を介して前記移動型再生装置に送信する第２送信工程と
を備えることを特徴とする再生方法。
【請求項１６】
放送局より放送回線を介して放送される複数のチャンネルのコンテンツデータを受信する移動型再生装置であって、
前記放送回線を介して放送される前記複数のチャンネルのコンテンツデータのうち所望のチャンネルのコンテンツデータを受信する第１受信手段と、
記録装置が前記複数のチャンネルのコンテンツデータのうち所望のチャンネルのコンテンツデータを不足なく前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
（ｉ）前記第１受信手段により受信される前記所望のチャンネルのコンテンツデータの再生である第１再生動作と、（ｉｉ）前記第２受信手段により受信される前記所望のチャンネルのコンテンツデータの再生である第２再生動作とを切り替えるように前記再生手段を制御する制御手段と
を備えることを特徴とする移動型再生装置。
【請求項１７】
放送局より放送回線を介して放送される複数のチャンネルのコンテンツデータを受信すると共に記録する記録装置であって、
移動型再生装置から前記通信回線を介して送信され且つ、当該記録装置が前記複数のチャンネルのコンテンツデータのうち所望のチャンネルのコンテンツデータを不足なく前記移動型再生装置に送信するために必要な制御情報を受信する第３受信手段と、
前記放送回線を介して放送される前記複数のチャンネルのコンテンツデータを受信する第４受信手段と、
前記制御情報に基づいて、前記第４受信手段により受信される複数のチャンネルのコンテンツデータのうち前記所望のチャンネルのコンテンツデータを記録する記録手段と、
前記記録手段により記録される前記所望のチャンネルのコンテンツデータを、前記通信回線を介して前記移動型再生装置に送信する第２送信手段と
を備えることを特徴とする記録装置。
【請求項１８】
放送局より放送回線を介して放送される複数のチャンネルのコンテンツデータを格納する記録装置であって、
移動型再生装置から前記通信回線を介して送信され且つ、当該記録装置が前記複数のチャンネルのコンテンツデータのうち所望のチャンネルのコンテンツデータを不足なく前記移動型再生装置に送信するために必要な制御情報を受信する第３受信手段と、
前記放送回線を介して放送される前記複数のチャンネルのコンテンツデータを格納する格納手段と、
前記格納手段により格納される前記所望のチャンネルのコンテンツデータを、前記通信回線を介して前記移動型再生装置に送信する第２送信手段と
を備えることを特徴とする記録装置。
【請求項１９】
放送局より放送回線を介して放送される複数のチャンネルのコンテンツデータを受信する移動型再生装置であって、前記放送回線を介して放送される前記複数のチャンネルのコンテンツデータのうち所望のチャンネルのコンテンツデータを受信する第１受信手段と、前記記録装置が前記所望のチャンネルのコンテンツデータを不足なく前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、前記第１受信手段及び前記第２受信手段の少なくとも一方により受信される前記所望のチャンネルのコンテンツデータを再生する再生手段と、（ｉ）前記第１受信手段により受信される前記所望のチャンネルのコンテンツデータの再生である第１再生動作と、（ｉｉ）前記第２受信手段により受信される前記所望のチャンネルのコンテンツデータの再生である第２再生動作とを切り替えるように前記再生手段を制御する制御手段とを備える移動型再生装置に備えられたコンピュータを制御するコンピュータプログラムであって、
前記コンピュータを、前記第１受信手段、前記第１送信手段、前記第２受信手段、前記再生手段及び前記制御手段のうち少なくとも一部として機能させることを特徴とするコンピュータプログラム。
【請求項２０】
放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを不足なく前記移動型再生装置に送信するために必要な制御情報を受信する第３受信手段と、前記放送回線を介して放送される前記複数のチャンネルのコンテンツデータを受信する第４受信手段と、前記制御情報に基づいて、前記第４受信手段により受信される複数のチャンネルのコンテンツデータのうち前記所望のチャンネルのコンテンツデータを記録する記録手段と、前記記録手段により記録される前記所望のチャンネルのコンテンツデータを、前記通信回線を介して前記移動型再生装置に送信する第２送信手段とを備える記録装置に備えられたコンピュータを制御するコンピュータプログラムであって、
前記コンピュータを、前記第３受信手段、前記第４受信手段、前記記録手段及び前記第２送信手段のうち少なくとも一部として機能させることを特徴とするコンピュータプログラム。
【請求項２１】
放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを不足なく前記移動型再生装置に送信するために必要な制御情報を受信する第３受信手段と、前記放送回線を介して放送される前記複数のチャンネルのコンテンツデータを格納する格納手段と、前記格納手段により格納される前記所望のチャンネルのコンテンツデータを、前記通信回線を介して前記移動型再生装置に送信する第２送信手段とを備える記録装置に備えられたコンピュータを制御するコンピュータプログラムであって、
前記コンピュータを、前記第３受信手段、前記格納手段及び前記第２送信手段のうち少なくとも一部として機能させることを特徴とするコンピュータプログラム。
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
放送局より放送回線を介して放送される複数のチャンネルのコンテンツデータを受信すると共に再生する移動型再生装置と、前記放送局より前記放送回線を介して放送される前記複数のチャンネルのコンテンツデータを受信すると共に記録する記録装置を備える再生システムであって、
前記移動型再生装置は、
前記放送回線を介して放送される前記複数のチャンネルのコンテンツデータのうち所望のチャンネルのコンテンツデータを受信する第１受信手段と、
前記記録装置が前記所望のチャンネルのコンテンツデータを不足なく前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段と
を備え、
前記記録装置は、
前記移動型再生装置から前記通信回線を介して送信される前記制御情報を受信する第３受信手段と、
前記放送回線を介して放送される前記複数のチャンネルのコンテンツデータを受信する第４受信手段と、
前記制御情報に基づいて、前記第４受信手段により受信される複数のチャンネルのコンテンツデータのうち前記所望のチャンネルのコンテンツデータを記録する記録手段と、
前記記録手段により記録される前記所望のチャンネルのコンテンツデータを、前記通信回線を介して前記移動型再生装置に送信する第２送信手段と
を備えることを特徴とする再生システム。
【請求項２】
前記制御手段は、前記第２受信手段により前記所望のチャンネルのコンテンツデータが受信されている場合、前記第２再生動作へ切り替えるように前記再生手段を制御することを特徴とする請求の範囲第１項に記載の再生システム。
【請求項３】
前記制御手段は、前記第２受信手段により受信される前記所望のチャンネルのコンテンツデータを前記再生手段が再生可能な状況になった後に、前記第２再生動作へ切り替えるように前記再生手段を制御することを特徴とする請求の範囲第１項に記載の再生システム。
【請求項４】
前記移動型再生装置は、前記記録装置から前記通信回線を介して送信される前記所望のチャンネルのコンテンツデータを一時的に蓄積するバッファリング手段を更に備え、
前記制御手段は、前記第２受信手段により受信される前記所望のチャンネルのコンテンツデータが、所定サイズ以上前記バッファリング手段に蓄積された後に、前記第２再生動作へ切り替えるように前記再生手段を制御することを特徴とする請求の範囲第１項に記載の再生システム。
【請求項５】
前記複数のチャンネルのコンテンツデータの少なくとも一つは、前記コンテンツデータの再生時間軸に沿って離散的に又は周期的に分布するコマーシャルデータを含んでおり、
前記制御手段は、前記第１再生動作により前記コマーシャルデータが再生されている間に、前記第２再生動作へ切り替え且つ前記コマーシャルデータから再生が開始されるように前記再生手段を制御することを特徴とする請求の範囲第１項に記載の再生システム。
【請求項６】
前記記録装置は、前記記録手段による前記所望のチャンネルのコンテンツデータの記録が開始されてからの経過時間を算出する第１算出手段を更に備え、
前記第２送信手段は、前記第１算出手段により算出される経過時間が所定の第１閾値を超えた後に、前記記録手段により記録される前記所望のチャンネルのコンテンツ
始されるように前記再生手段を制御することを特徴とする請求の範囲第８項に記載の再生システム。
【請求項７】
前記移動型再生装置は、
前記移動型再生装置の現在位置を検出する検出手段と、
前記検出手段により検出される前記現在位置及び地図情報に基づいて、前記移動型再生装置が将来移動する可能性のある複数の候補位置を予測する予測手段と、
前記複数の候補位置の夫々において、前記放送回線を介して放送される前記所望のチャンネルのコンテンツデータを前記第１受信手段が受信することができるか否かを判定する判定手段と
を更に備え、
前記第２送信手段は、前記判定手段により、前記放送回線を介して放送される前記所望のチャンネルのコンテンツデータを前記第１受信手段が受信することができないと判定された場合に、前記記録手段により記録される前記所望のチャンネルのコンテンツデータの送信を開始することを特徴とする請求の範囲第１項に記載の再生システム。
【請求項８】
前記複数のチャンネルのコンテンツデータの少なくとも一つは、前記コンテンツデータの再生時間軸に沿って離散的に又は周期的に分布するコマーシャルデータを含んでおり、
前記第２送信手段は、前記コマーシャルデータが前記記録手段により記録された後に、前記記録手段により記録される前記コマーシャルデータを始点として、前記記録手段により記録される前記所望のチャンネルのコンテンツデータの送信を開始することを特徴とする請求の範囲第１項に記載の再生システム。
【請求項９】
前記第２送信手段は、前記第１再生動作により前記コマーシャルデータが再生されている間に、前記記録手段により記録される前記コマーシャルデータを始点として、前記記録手段により記録される前記所望のチャンネルのコンテンツデータの送信を開始し、
前記制御手段は、前記第１再生動作により前記コマーシャルデータが再生されている間に、前記第２再生動作へ切り替え且つ前記コマーシャルデータから再生が開始されるように前記再生手段を制御することを特徴とする請求の範囲第８項に記載の再生システム。
【請求項１０】
前記移動型再生装置は、前記複数のチャンネルのコンテンツデータに対するチャンネル選択が行われてからの経過時間を算出する第２算出手段を更に備え、
前記第１送信手段は、前記第２算出手段により算出される経過時間が所定の第２閾値を超えた後に、前記制御情報を送信することを特徴とする請求の範囲第１項に記載の再生システム。
【請求項１１】
前記移動型再生装置は、
前記移動型再生装置の現在位置を検出する検出手段と、
前記検出手段により検出される前記現在位置及び地図情報に基づいて、前記移動型再生装置が将来移動する可能性のある複数の候補位置を予測する予測手段と、
前記複数の候補位置の夫々において、前記放送回線を介して放送される前記所望のチャンネルのコンテンツデータを前記第１受信手段が受信することができるか否かを判定する判定手段と
を更に備え、
前記第１送信手段は、前記判定手段により、前記放送回線を介して放送される前記所望のチャンネルのコンテンツデータを前記第１受信手段が受信することができないと判定された場合に、前記制御情報を、前記通信回線を介して前記記録装置に送信することを特徴とする請求の範囲第１項に記載の再生システム。
【請求項１２】
前記移動型再生装置は、前記記録装置から前記通信回線を介して送信される前記所望のチャンネルのコンテンツデータを一時的に蓄積するバッファリング手段を更に備えることを特徴とする請求の範囲第１項に記載の再生システム。
【請求項１３】
放送局より放送回線を介して放送される複数のチャンネルのコンテンツデータを受信すると共に再生する移動型再生装置と、前記放送局より前記放送回線を介して放送される前記複数のチャンネルのコンテンツデータを格納する記録装置を備える再生システムであって、
前記移動型再生装置は、
前記放送回線を介して放送される前記複数のチャンネルのコンテンツデータのうち所望のチャンネルのコンテンツデータを受信する第１受信手段と、
前記記録装置が前記所望のチャンネルのコンテンツデータを不足なく前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段と
を備え、
前記記録装置は、
前記移動型再生装置から前記通信回線を介して送信される前記制御情報を受信する第３受信手段と、
前記放送回線を介して放送される前記複数のチャンネルのコンテンツデータを格納する格納手段と、
前記制御情報に基づいて、前記格納手段により格納される前記所望のチャンネルのコンテンツデータを、前記通信回線を介して前記移動型再生装置に送信する第２送信手段と
を備えることを特徴とする再生システム。
【請求項１４】
放送局より放送回線を介して放送される複数のチャンネルのコンテンツデータを受信すると共に格納する移動型再生装置と、前記放送局より前記放送回線を介して放送される前記複数のチャンネルのコンテンツデータを受信すると共に記録する記録装置を備える再生システムにおける再生方法であって、
前記放送回線を介して放送される前記複数のチャンネルのコンテンツデータを前記移動型再生装置において受信する第１受信工程と、
前記記録装置が前記所望のチャンネルのコンテンツデータを不足なく前記移動型再生装置に送信するために必要な制御情報を、通信回線を介して前記記録装置に送信する第１送信工程と、
前記記録装置から前記通信回線を介して送信される前記所望のチャンネルのコンテンツデータを受信する第２受信工程と、
前記第１受信工程及び前記第２受信工程の少なくとも一方において受信される前記所望のチャンネルのコンテンツデータを再生する再生工程と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替える制御工程と、
前記移動型再生装置から前記通信回線を介して送信される前記制御情報を受信する第３受信工程と、
前記放送回線を介して放送される前記複数のチャンネルのコンテンツデータを前記記録装置において受信する第４受信工程と、
前記制御情報に基づいて、前記第３受信工程において受信される複数のチャンネルのコンテンツデータのうち前記所望のチャンネルのコンテンツデータを記録する記録工程と、
前記記録工程において記録される前記所望のチャンネルのコンテンツデータを、前記通信回線を介して前記移動型再生装置に送信する第２送信工程と
を備えることを特徴とする再生方法。
【請求項１５】
放送局より放送回線を介して放送される複数のチャンネルのコンテンツデータを受信すると共に再生する移動型再生装置と、前記放送局より前記放送回線を介して放送される前記複数のチャンネルのコンテンツデータを格納する記録装置を備える再生システムにおける再生方法であって、
前記放送回線を介して放送される前記複数のチャンネルのコンテンツデータのうち所望のチャンネルのコンテンツデータを受信する第１受信工程と、
前記記録装置が前記所望のチャンネルのコンテンツデータを不足なく前記移動型再生装置に送信するために必要な制御情報を、通信回線を介して前記記録装置に送信する第１送信工程と、
前記記録装置から前記通信回線を介して送信される前記所望のチャンネルのコンテンツデータを受信する第２受信工程と、
前記第１受信工程及び前記第２受信工程の少なくとも一方において受信される前記所望のチャンネルのコンテンツデータを再生する再生工程と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替える制御工程と、
前記移動型再生装置から前記通信回線を介して送信される前記制御情報を受信する第３受信工程と、
前記記録装置に格納される前記所望のチャンネルのコンテンツデータを、前記通信回線を介して前記移動型再生装置に送信する第２送信工程と
を備えることを特徴とする再生方法。
【請求項１６】
放送局より放送回線を介して放送される複数のチャンネルのコンテンツデータを受信する移動型再生装置であって、
前記放送回線を介して放送される前記複数のチャンネルのコンテンツデータのうち所望のチャンネルのコンテンツデータを受信する第１受信手段と、
記録装置が前記複数のチャンネルのコンテンツデータのうち所望のチャンネルのコンテンツデータを不足なく前記移動型再生装置に送信するために必要な制御情報を、通信回線を介して前記記録装置に送信する第１送信手段と、
前記記録装置から前記通信回線を介して送信される前記所望のチャンネルのコンテンツデータを受信する第２受信手段と、
前記第１受信手段及び前記第２受信手段の少なくとも一方により受信される前記所望のチャンネルのコンテンツデータを再生する再生手段と、
(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段と
を備えることを特徴とする移動型再生装置。
【請求項１７】
放送局より放送回線を介して放送される複数のチャンネルのコンテンツデータを受信すると共に記録する記録装置であって、
移動型再生装置から前記通信回線を介して送信され且つ、当該記録装置が前記複数のチャンネルのコンテンツデータのうち所望のチャンネルのコンテンツデータを不足なく前記移動型再生装置に送信するために必要な制御情報を受信する第３受信手段と、
前記放送回線を介して放送される前記複数のチャンネルのコンテンツデータを受信する第４受信手段と、
前記制御情報に基づいて、前記第４受信手段により受信される複数のチャンネルのコンテンツデータのうち前記所望のチャンネルのコンテンツデータを記録する記録手段と、
前記記録手段により記録される前記所望のチャンネルのコンテンツデータを、前記通信回線を介して前記移動型再生装置に送信する第２送信手段と
を備えることを特徴とする記録装置。
【請求項１８】
放送局より放送回線を介して放送される複数のチャンネルのコンテンツデータを格納する記録装置であって、
移動型再生装置から前記通信回線を介して送信され且つ、当該記録装置が前記複数のチャンネルのコンテンツデータのうち所望のチャンネルのコンテンツデータを不足なく前記移動型再生装置に送信するために必要な制御情報を受信する第３受信手段と、
前記放送回線を介して放送される前記複数のチャンネルのコンテンツデータを格納する格納手段と、
前記格納手段により格納される前記所望のチャンネルのコンテンツデータを、前記通信回線を介して前記移動型再生装置に送信する第２送信手段と
を備えることを特徴とする記録装置。
【請求項１９】
放送局より放送回線を介して放送される複数のチャンネルのコンテンツデータを受信する移動型再生装置であって、前記放送回線を介して放送される前記複数のチャンネルのコンテンツデータのうち所望のチャンネルのコンテンツデータを受信する第１受信手段と、前記記録装置が前記所望のチャンネルのコンテンツデータを不足なく前記移動型再生装置に送信するために必要な制御情報を、通信回線を介して前記記録装置に送信する第１送信手段と、前記記録装置から前記通信回線を介して送信される前記所望のチャンネルのコンテンツデータを受信する第２受信手段と、前記第１受信手段及び前記第２受信手段の少なくとも一方により受信される前記所望のチャンネルのコンテンツデータを再生する再生手段と、(i)前記第１受信手段により受信される前記所望のチャンネルのコンテンツデータの再生である第１再生動作と、(ii)前記第２受信手段により受信される前記所望のチャンネルのコンテンツデータの再生である第２再生動作とを切り替えるように前記再生手段を制御する制御手段とを備える移動型再生装置に備えられたコンピュータを制御するコンピュータプログラムであって、
前記コンピュータを、前記第１受信手段、前記第１送信手段、前記第２受信手段、前記再生手段及び前記制御手段のうち少なくとも一部として機能させることを特徴とするコンピュータプログラム。
【請求項２０】
放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを不足なく前記移動型再生装置に送信するために必要な制御情報を受信する第３受信手段と、前記放送回線を介して放送される前記複数のチャンネルのコンテンツデータを受信する第４受信手段と、前記制御情報に基づいて、前記第４受信手段により受信される複数のチャンネルのコンテンツデータのうち前記所望のチャンネルのコンテンツデータを記録する記録手段と、前記記録手段により記録される前記所望のチャンネルのコンテンツデータを、前記通信回線を介して前記移動型再生装置に送信する第２送信手段とを備える記録装置に備えられたコンピュータを制御するコンピュータプログラムであって、
前記コンピュータを、前記第３受信手段、前記第４受信手段、前記記録手段及び前記第２送信手段のうち少なくとも一部として機能させることを特徴とするコンピュータプログラム。
【請求項２１】
放送局より放送回線を介して放送される複数のチャンネルのコンテンツデータを受信すると共に記録する記録装置であって、移動型再生装置から前記通信回線を介して送信され且つ、当該記録装置が前記複数のチャンネルのコンテンツデータのうち所望のチャンネルのコンテンツデータを不足なく前記移動型再生装置に送信するために必要な制御情報を受信する第３受信手段と、前記放送回線を介して放送される前記複数のチャンネルのコンテンツデータを格納する格納手段と、前記格納手段により格納される前記所望のチャンネルのコンテンツデータを、前記通信回線を介して前記移動型再生装置に送信する第２送信手段とを備える記録装置に備えられたコンピュータを制御するコンピュータプログラムであって、
前記コンピュータを、前記第３受信手段、前記格納手段及び前記第２送信手段のうち少なくとも一部として機能させることを特徴とするコンピュータプログラム。
【国際調査報告】
2007111299.tif 000015
2007111299.tif 000016
2007111299.tif 000017
2007111299.tif 000018